(57)【要約】      （修正有）【課題】１人以上のユーザのための双方向仮想現実環境または拡張現実環境を促進するように構成されたシステムおよび方法を提供する【解決手段】２人またはそれより多いユーザが仮想世界データを含む仮想世界と相互作用することを可能にするためのシステム１００は、１つまたは複数のコンピューティングデバイスを備えるコンピュータネットワーク１０５を備える。１つまたは複数のコンピューティングデバイスは、メモリと、処理回路と、少なくとも部分的にメモリに記憶され、仮想世界データの少なくとも一部分を処理するように処理回路によって実行可能であるソフトウェアとを備える。仮想世界データの少なくとも第１の部分は、第１のユーザにローカルである第１のユーザ仮想世界が起源であり、コンピュータネットワークは、第２のユーザに提示するために第１の部分をユーザデバイスに伝送するように動作可能である。【選択図】図１
2018129085.tif 000002
【特許請求の範囲】
【請求項１】
本明細書に記載の発明。
【発明の詳細な説明】
【技術分野】
【０００１】
（関連出願データ）
本願は、米国特許法§１１９のもと、米国仮特許出願第６１／５５２，９４１号（２０１１年１０月２８日出願）に基づく優先権を主張する。これによって、上述の出願は、その全体が本願に参照によって援用される。
【０００２】
（発明の背景）
本発明は、概して、１人以上のユーザのための双方向仮想現実環境または拡張現実環境を促進するように構成されたシステムおよび方法に関する。
【背景技術】
【０００３】
（背景）
仮想現実環境および拡張現実環境は、環境を表すデータを部分的に使用して、コンピュータによって生成される。このデータは、例えば、ユーザが感知して相互作用し得る種々のオブジェクトを表してもよい。これらのオブジェクトの例は、ユーザが見るためにレンダリングおよび表示されるオブジェクト、ユーザが聞くために再生されるオーディオ、およびユーザが感じる触知（または、触覚）フィードバックを含む。ユーザは、種々の視覚手段、聴覚手段、および触覚手段を通して、仮想現実環境および拡張現実環境を感知し、それらと相互作用してもよい。
【発明の概要】
【課題を解決するための手段】
【０００４】
一実施形態は、２人またはそれより多いユーザが仮想世界データを含む仮想世界と相互作用することを可能にするためのシステムに関連し、システムは、１つまたは複数のコンピューティングデバイスを備えるコンピュータネットワークを備え、１つまたは複数のコンピューティングデバイスは、メモリと、処理回路と、少なくとも部分的にメモリに記憶され、仮想世界データの少なくとも一部分を処理するように処理回路によって実行可能であるソフトウェアとを備え、仮想世界データの少なくとも第１の部分は、第１のユーザにローカルである第１のユーザ仮想世界が起源であり、コンピュータネットワークは、第２のユーザに提示するために第１の部分をユーザデバイスに伝送するように動作可能であり、それによって、第２のユーザは、第２のユーザの位置から第１の部分を体験し得、第１のユーザ仮想世界の側面は、第２のユーザに効果的に渡される。第１のユーザおよび第２のユーザは、異なる物理的位置、または実質的に同一の物理的位置にあってもよい。仮想世界の少なくとも一部分は、仮想世界データの変化に応答して変化するように構成されてもよい。仮想世界の少なくとも一部分は、ユーザデバイスによって感知された物理的オブジェクトに応答して変化するように構成されてもよい。仮想世界データの変化は、物理的オブジェクトとの所定の関係を有する仮想オブジェクトを表してもよい。仮想世界データの変化は、所定の関係に従って、第２のユーザに提示するために第２のユーザデバイスに提示されてもよい。仮想世界は、コンピュータサーバまたはユーザデバイスのうちの少なくとも１つによってレンダリングされるように動作可能であり得る。仮想世界は、２次元形式で提示されてもよい。仮想世界は、３次元形式で提示されてもよい。ユーザデバイスは、拡張現実モードにおいて、ユーザと仮想世界との間の相互作用を可能にするためのインターフェースを提供するように動作可能であり得る。ユーザデバイスは、仮想現実モードにおいて、ユーザと仮想世界との間の相互作用を可能にするためのインターフェースを提供するように動作可能であり得る。ユーザデバイスは、拡張現実モードおよび仮想現実モードの組み合わせにおいて、ユーザと仮想世界との間の相互作用を可能にするためのインターフェースを提供するように動作可能であり得る。仮想世界データは、データネットワーク上で伝送されてもよい。コンピュータネットワークは、ユーザデバイスから仮想世界データの少なくとも一部分を受信するように動作可能であり得る。ユーザデバイスに伝送される仮想世界データの少なくとも一部分は、仮想世界の少なくとも一部分を生成するための命令を備えてもよい。仮想世界データの少なくとも一部分は、処理または配信のうちの少なくとも１つのためにゲートウェイに伝送されてもよい。１つまたは複数のコンピュータサーバのうちの少なくとも１つは、ゲートウェイによって配信される仮想世界データを処理するように動作可能であり得る。
【０００５】
別の実施形態は、仮想ユーザ体験および／または拡張ユーザ体験のためのシステムを対象とし、そこで、遠隔アバターが、音声抑揚および顔認識ソフトウェアからの随意的な入力を用いて、ウェアラブルデバイス上のデータに少なくとも部分的に基づいて動画化される。
【０００６】
別の実施形態は、仮想ユーザ体験および／または拡張ユーザ体験のためのシステムを対象とし、そこで、カメラ姿勢または視点位置およびベクトルが、世界セクター内のいずれかの場所に配置されてもよい。
【０００７】
別の実施形態は、仮想ユーザ体験および／または拡張ユーザ体験のためのシステムを対象とし、そこで、世界またはその一部が、観察しているユーザのために多様かつ選択可能な尺度でレンダリングされてもよい。
【０００８】
別の実施形態は、仮想ユーザ体験および／または拡張ユーザ体験のためのシステムを対象とし、そこで、姿勢タグ付け画像に加えて、点またはパラメトリック線のような特徴が、世界モデルの基礎データとして利用され得、そこからソフトウェアロボットまたはオブジェクト認識装置が、セグメント化オブジェクトおよび世界モデルに相互に含むためのソース特徴をタグ付けする、現実世界オブジェクトのパラメトリック表現を作成するために利用され得る。
本発明は、例えば、以下を提供する。
（項目１）
２人またはそれより多いユーザが仮想世界データを含む仮想世界内において相互作用することを可能にするためのシステムであって、前記システムは、
１つまたは複数のコンピューティングデバイスを備えるコンピュータネットワークであって、前記１つまたは複数のコンピューティングデバイスは、メモリと、処理回路と、前記メモリに少なくとも部分的に記憶され、前記仮想世界データの少なくとも一部分を処理するように前記処理回路によって実行可能であるソフトウェアとを備える、コンピュータネットワーク
を備え、前記仮想世界データの少なくとも第１の部分は、第１のユーザにローカルである第１のユーザ仮想世界が起源であり、前記コンピュータネットワークは、第２のユーザに提示するために前記第１の部分をユーザデバイスに伝送するように動作可能であり、それによって、前記第２のユーザは、前記第２のユーザの位置から第１の部分を体験することもあり、前記第１のユーザ仮想世界の側面が前記第２のユーザに効果的に渡される、システム。
（項目２）
前記第１のユーザおよび第２のユーザは、異なる物理的位置にいる、項目１に記載のシステム。
（項目３）
前記第１のユーザおよび第２のユーザは、実質的に同一の物理的位置にいる、項目１に記載のシステム。
（項目４）
前記仮想世界の少なくとも一部分は、前記仮想世界データの変化に応答して、変化する、項目１に記載のシステム。
（項目５）
前記仮想世界の少なくとも一部分は、前記ユーザデバイスによって感知された物理的オブジェクトに応答して、変化する、項目１に記載のシステム。
（項目６）
前記仮想世界データにおける変化は、前記物理的オブジェクトとの所定の関係を有する仮想オブジェクトを表す、項目５に記載のシステム。
（項目７）
前記仮想世界データにおける変化は、前記所定の関係に従って、前記第２のユーザに提示するために第２のユーザデバイスに提示される、項目６に記載のシステム。
（項目８）
前記仮想世界は、前記コンピュータサーバまたはユーザデバイスのうちの少なくとも１つによってレンダリングされるように動作可能である、項目１に記載のシステム。
（項目９）
前記仮想世界は、２次元形式で提示される、項目１に記載のシステム。
（項目１０）
前記仮想世界は、３次元形式で提示される、項目１に記載のシステム。
（項目１１）
前記ユーザデバイスは、拡張現実モードにおいて、ユーザと前記仮想世界との間の相互作用を可能にするためのインターフェースを提供するように動作可能である、項目１に記載のシステム。
（項目１２）
前記ユーザデバイスは、仮想現実モードにおいて、ユーザと前記仮想世界との間の相互作用を可能にするためのインターフェースを提供するように動作可能である、項目１に記載のシステム。
（項目１３）
前記ユーザデバイスは、拡張現実モードと仮想現実モードとの組み合わせにおいて、ユーザと前記仮想世界との間の相互作用を可能にするためのインターフェースを提供するように動作可能である、項目１１に記載のシステム。
（項目１４）
前記仮想世界データは、データネットワーク上で伝送される、項目１に記載のシステム。
（項目１５）
前記コンピュータネットワークは、ユーザデバイスから前記仮想世界データの少なくとも一部分を受信するように動作可能である、項目１に記載のシステム。
（項目１６）
前記ユーザデバイスに伝送される前記仮想世界データの少なくとも一部分は、前記仮想世界の少なくとも一部分を生成するための命令を備える、項目１に記載のシステム。
（項目１７）
前記仮想世界データの少なくとも一部分は、処理または配信のうちの少なくとも１つのためにゲートウェイに伝送される、項目１に記載のシステム。
（項目１８）
前記１つまたは複数のコンピュータサーバのうちの少なくとも１つは、前記ゲートウェイによって配信される仮想世界データを処理するように動作可能である、項目１７に記載のシステム。
【図面の簡単な説明】
【０００９】
【図１】図１は、複数のユーザのための双方向仮想現実または拡張現実環境を促進するための開示されたシステムの代表的な実施形態を図示する。
【図２】図２は、図１で図示されたシステムと相互作用するユーザデバイスの実施例を図示する。
【図３】図３は、モバイルウェアラブルユーザデバイスの例示的実施形態を図示する。
【図４】図４は、図３のモバイルウェアラブルユーザデバイスが拡張モードにおいて動作しているときにユーザによって視認されるオブジェクトの実施例を図示する。
【図５】図５は、図３のモバイルウェアラブルユーザデバイスが仮想モードにおいて動作しているときにユーザによって視認されるオブジェクトの実施例を図示する。
【図６】図６は、図３のモバイルウェアラブルユーザデバイスが混合仮想インターフェースモードにおいて動作しているときにユーザによって視認されるオブジェクトの実施例を図示する。
【図７】図７は、異なる地理的位置に位置する２人のユーザがそれぞれ、それぞれのユーザデバイスを通して、他方のユーザおよび共通仮想世界と相互作用する実施形態を図示する。
【図８】図８は、図７の実施形態が触覚デバイスの使用を含むように拡張される実施形態を図示する。
【図９Ａ】図９Ａは、第１のユーザが、混合仮想インターフェースモードにおいてデジタル世界とインターフェース接続しており、第２のユーザが、仮想現実モードにおいて同一のデジタル世界とインターフェース接続している、混合モードインターフェース接続の実施例を図示する。
【図９Ｂ】図９Ｂは、第１のユーザが、混合仮想インターフェースモードにおいてデジタル世界とインターフェース接続し、第２のユーザが、拡張現実モードにおいて同一のデジタル世界とインターフェース接続している、混合モードインターフェース接続の別の実施例を図示する。
【図１０】図１０は、拡張現実モードにおいてシステムとインターフェース接続するときのユーザの視界の例示的例証を図示する。
【図１１】図１１は、ユーザが拡張現実モードにおいてシステムとインターフェース接続しているときに物理的オブジェクトによって誘発される仮想オブジェクトを示すユーザの視界の例示的例証を図示する。
【図１２】図１２は、拡張現実体験における１人のユーザが、仮想現実体験における別のユーザの存在を可視化する、拡張現実および仮想現実統合構成の一実施形態を図示する。
【図１３】図１３は、時間および／または偶発事象ベースの拡張現実体験構成の一実施形態を図示する。
【図１４】図１４は、仮想現実および／または拡張現実体験に好適なユーザ表示構成の一実施形態を図示する。
【図１５】図１５は、ローカルおよびクラウドに基づいた計算協調の一実施形態を図示する。
【図１６】図１６は、位置合わせ構成の種々の側面を図示する。
【発明を実施するための形態】
【００１０】
（詳細な説明）
図１を参照すると、システム１００は、以下で説明されるプロセスを実装するための代表的なハードウェアである。この代表的なシステムは、１つ以上の高帯域幅インターフェース１１５を通して接続される１つ以上のコンピュータサーバ１１０から構成されるコンピューティングネットワーク１０５を備える。コンピューティングネットワーク内のサーバは、同一の場所に位置する必要はない。１つ以上のサーバ１１０はそれぞれ、プログラム命令を実行するための１つ以上のプロセッサを備える。サーバはまた、プログラム命令と、プログラム命令の指示の下でサーバによって実行されているプロセスによって使用および／または生成されるデータとを記憶するためのメモリも含む。
【００１１】
コンピューティングネットワーク１０５は、サーバ１１０の間で、および１つ以上のデータネットワーク接続１３０上において、サーバと１つ以上のユーザデバイス１２０との間でデータを通信する。そのようなデータネットワークの例は、限定ではないが、移動式および有線の両方である、ありとあらゆるタイプの公衆およびプライベートデータネットワークを含み、例えば、一般的にインターネットと呼ばれる、そのようなネットワークの多くの相互接続を含む。いかなる特定のメディア、トポロジー、またはプロトコルも、図によって暗示されることを目的としていない。
【００１２】
ユーザデバイスは、コンピューティングネットワーク１０５、またはサーバ１１０のうちのいずれかと直接通信するために構成される。代替として、ユーザデバイス１２０は、データを処理するため、および／またはネットワーク１０５と１つ以上のローカルユーザデバイス１２０との間でデータを通信するために、特別にプログラムされたローカルゲートウェイ１４０を通して、遠隔サーバ１１０と、および必要に応じて、ローカルに他のユーザデバイスと通信する。
【００１３】
例証されるように、ゲートウェイ１４０は、ソフトウェア命令を実行するためのプロセッサと、ソフトウェア命令およびデータを記憶するためのメモリとを含む別個のハードウェア構成要素として実装される。ゲートウェイは、コンピューティングネットワーク１０５を構成するサーバ１１０と通信するためのデータネットワークへの独自の有線接続および／または無線接続を有する。代替として、ゲートウェイ１４０は、ユーザによって装着または携行されるユーザデバイス１２０と統合されることができる。例えば、ゲートウェイ１４０は、ユーザデバイス１２０に含まれるプロセッサ上にインストールされて作動するダウンロード可能なソフトウェアアプリケーションとして実装されてもよい。ゲートウェイ１４０は、一実施形態では、データネットワーク１３０を介して、コンピューティングネットワーク１０５へのアクセスを１人以上のユーザに提供する。
【００１４】
サーバ１１０はそれぞれ、例えば、データおよびソフトウェアプログラムを記憶するための作業メモリおよび記憶装置と、プログラム命令を実行するためのマイクロプロセッサと、グラフィック、画像、ビデオ、オーディオ、およびマルチメディアファイルをレンダリングして生成するためのグラフィックプロセッサおよび他の特殊プロセッサとを含む。コンピューティングネットワーク１０５はまた、サーバ１１０によってアクセス、使用、または作成されるデータを記憶するためのデバイスを備えてもよい。
【００１５】
サーバ、随意に、ユーザデバイス１２０およびゲートウェイ１４０上で作動するソフトウェアプログラムは、ユーザがユーザデバイス１２０と相互作用するデジタル世界（本明細書では、仮想世界とも呼ばれる）を生成するために使用される。デジタル世界は、ユーザが体験して相互作用するために、ユーザデバイス１２０を通してユーザに提示され得る仮想の存在しないエンティティ、環境、および条件を表し、かつ／または定義するデータおよびプロセスによって表される。例えば、ユーザによって視認または体験されている光景においてインスタンス化されるときに物理的に存在しているように見える、何らかのタイプのオブジェクト、エンティティ、またはアイテムは、その外見、その挙動、どのようにしてユーザがそれと相互作用することを許可されるか、および他の特性の説明を含んでもよい。仮想世界（仮想オブジェクトを含む）の環境を作成するために使用されるデータは、例えば、大気データ、地形データ、気象データ、温度データ、位置データ、および仮想環境を定義し、かつ／または表すために使用される他のデータを含んでもよい。加えて、仮想世界の動作を支配する種々の条件を定義するデータは、例えば、物理法則、時間、空間的関係、および仮想世界（仮想オブジェクトを含む）の動作を支配する種々の条件を定義し、かつ／または作成するために使用され得る他のデータを含んでもよい。
【００１６】
デジタル世界のエンティティ、オブジェクト、条件、特性、挙動、または他の特徴は、概して、文脈が特に指示しない限り、本明細書ではオブジェクト（例えば、デジタルオブジェクト、仮想オブジェクト、レンダリングされた物理的オブジェクト等）と呼ばれる。オブジェクトは、限定されないが、建造物、植物、車両、人、動物、生物、機械、データ、ビデオ、テキスト、写真、および他のユーザを含む、任意のタイプの命のあるオブジェクトまたは命のないオブジェクトであってもよい。オブジェクトはまた、物理的世界に実際に存在するアイテム、挙動、または条件に関する情報を記憶するために、デジタル世界において定義されてもよい。エンティティ、オブジェクト、またはアイテムを表すか、または定義するデータ、あるいはその現在の状態を記憶するデータは、概して、本明細書では、オブジェクトデータと呼ばれる。このデータは、実装に応じて、サーバ１１０によって、またはゲートウェイ１４０またはユーザデバイス１２０によって処理されることにより、オブジェクトのインスタンスをインスタンス化し、ユーザがユーザデバイスを通して体験するために適切な方式でオブジェクトをレンダリングする。
【００１７】
デジタル世界を開発および／または作成するプログラマが、オブジェクト、およびオブジェクトがインスタンス化される条件を作成または定義する。しかしながら、デジタル世界は、他者がオブジェクトを作成または修正することを可能にすることができる。オブジェクトがインスタンス化されると、オブジェクトの状態は、デジタル世界を体験している１人以上のユーザによって、変更、制御、または操作されることを許可されてもよい。
【００１８】
例えば、一実施形態では、デジタル世界の開発、制作、および管理は、概して、１人以上のシステム管理プログラマによって提供される。いくつかの実施形態では、これは、デジタル世界における話の筋、テーマ、および事象の開発、設計、および／または実行、ならびに、例えば、映画、デジタル、ネットワーク、モバイル、拡張現実、およびライブ娯楽等の種々の形態の事象およびメディアを通じた、物語の配信を含んでもよい。システム管理プログラマはまた、デジタル世界およびそれと関連付けられるユーザコミュニティの技術管理、モデレーション、およびキュレーション、ならびに典型的にはネットワーク管理人によって行われる他のタスクを対処してもよい。
【００１９】
ユーザは、概して、ユーザデバイス１２０として指定されている、何らかのタイプのローカルコンピューティングデバイスを使用して、１つ以上のデジタル世界と相互作用する。そのようなユーザデバイスの実施例は、スマートフォン、タブレットデバイス、ヘッドアップディスプレイ（ＨＵＤ）、ゲーム機、またはデータを通信し、インターフェースまたはディスプレイをユーザに提供することが可能な任意の他のデバイス、あるいはそのようなデバイスの組み合わせを含むが、それらに限定されない。いくつかの実施形態では、ユーザデバイス１２０は、例えば、キーボード、マウス、ジョイスティック、ゲームコントローラ、触覚インターフェースデバイス、モーションキャプチャコントローラ、光学的追跡デバイス（例えば、Ｌｅａｐ  Ｍｏｔｉｏｎ，Ｉｎｃ．から入手可能なもの、またはＫｉｎｅｃｔ（ＲＴＭ）という商品名の下でＭｉｃｒｏｓｏｆｔから入手可能なもの）、オーディオ機器、音声機器、プロジェクタシステム、３Ｄディスプレイ、およびホログラフィック３Ｄコンタクトレンズ等のローカル周辺構成要素または入力／出力構成要素を含み、またはそれらと通信してもよい。
【００２０】
システム１００と相互作用するためのユーザデバイス１２０の実施例が、図２で図示されている。図２に示される例示的実施形態では、ユーザ２１０が、スマートフォン２２０を通して１つ以上のデジタル世界とインターフェース接続してもよい。ゲートウェイは、スマートフォン２２０上に記憶されて作動するソフトウェアアプリケーション２３０によって実装される。この特定の実施例では、データネットワーク１３０は、ユーザデバイス（すなわち、スマートフォン２２０）をコンピュータネットワーク１０５に接続する無線モバイルネットワークを含む。
【００２１】
好ましい実施形態の１つの実装では、システム１００は、多数の同時ユーザ（例えば、何百万人ものユーザ）をサポートすることが可能であり、その多数の同時ユーザは、何らかのタイプのユーザデバイス１２０を使用して、同一のデジタル世界と、または複数のデジタル世界とそれぞれインターフェース接続する。
【００２２】
ユーザデバイスは、ユーザとサーバ１１０によって生成されるデジタル世界（他のユーザおよびユーザに提示されるオブジェクト（現実または仮想）を含む）との間の視覚的、可聴的、および／または物理的相互作用を可能にするためのインターフェースをユーザに提供する。インターフェースは、視認され、聞かれ、または別様に感知されることができるレンダリングされた光景、およびリアルタイムでその光景と相互作用する能力をユーザに提供する。ユーザがレンダリングされた光景と相互作用する方式は、ユーザデバイスの能力によって決定付けられてもよい。例えば、ユーザデバイスがスマートフォンである場合、ユーザ相互作用は、タッチスクリーンに接触するユーザによって実装されてもよい。別の実施例では、ユーザデバイスがコンピュータまたはゲーム機である場合、ユーザ相互作用は、キーボードまたはゲームコントローラを使用して実装されてもよい。ユーザデバイスは、センサ等のユーザ相互作用を可能にする付加的な構成要素を含んでもよく、センサによって検出されるオブジェクトおよび情報（ジェスチャを含む）は、ユーザデバイスを使用した仮想世界とのユーザ相互作用を表す入力として提供されてもよい。
【００２３】
レンダリングされた光景は、例えば、２次元または３次元視覚表示（投影を含む）、音、および触覚または触知フィードバック等の種々の形式で提示されることができる。レンダリングされた光景は、例えば、拡張現実、仮想現実、およびそれらの組み合わせを含む、１つ以上のモードにおいて、ユーザによってインターフェース接続されてもよい。レンダリングされた光景の形式、ならびにインターフェースモードは、ユーザデバイス、データ処理能力、ユーザデバイス接続性、ネットワーク容量、およびシステム作業量のうちの１つ以上によって決定付けられてもよい。デジタル世界と同時に相互作用する多数のユーザ、およびデータ交換のリアルタイムな性質を有することは、コンピューティングネットワーク１０５、サーバ１１０、ゲートウェイ構成要素１４０（必要に応じて）、およびユーザデバイス１２０によって可能にされる。
【００２４】
一実施例では、コンピューティングネットワーク１０５は、高速接続（例えば、高帯域幅インターフェース１１５）を通して接続された単一および／またはマルチコアサーバ（すなわち、サーバ１１０）を有する大規模コンピューティングシステムから構成される。コンピューティングネットワーク１０５は、クラウドまたはグリッドネットワークを形成してもよい。サーバのそれぞれは、メモリを含むか、またはデジタル世界のオブジェクトを作成、設計、変更、または処理するようにデータを実装するためのソフトウェアを記憶するためのコンピュータ読み取り可能なメモリと結合される。これらのオブジェクトおよびそれらのインスタンス化は、動的であり、出現し、消滅し、経時的に変化し、他の条件に応答して変化してもよい。オブジェクトの動的能力の実施例は、概して、種々の実施形態に関して本明細書で論議される。いくつかの実施形態では、システム１００とインターフェース接続する各ユーザはまた、１つ以上のデジタル世界内で、オブジェクトおよび／またはオブジェクトの集合として表されてもよい。
【００２５】
コンピューティングネットワーク１０５内のサーバ１１０はまた、デジタル世界のそれぞれに対する計算状態データも記憶する。計算状態データ（本明細書では、状態データとも呼ばれる）は、オブジェクトデータの構成要素であってもよく、概して、時間における所与のインスタンスで、オブジェクトのインスタンスの状態を定義する。したがって、計算状態データは、経時的に変化してもよく、１人以上のユーザおよび／またはシステム１００を維持するプログラマのアクションによる影響を受けてもよい。ユーザが計算状態データ（またはデジタル世界を構成する他のデータ）に影響を与えると、ユーザは、デジタル世界を直接変更するか、または別様に操作する。デジタル世界が他のユーザと共有され、またはインターフェース接続される場合、ユーザのアクションは、デジタル世界と相互作用する他のユーザによって体験されるものに影響を及ぼしてもよい。したがって、いくつかの実施形態では、ユーザによって行われるデジタル世界への変更は、システム１００とインターフェース接続する他のユーザによって体験される。
【００２６】
コンピューティングネットワーク１０５内の１つ以上のサーバ１１０に記憶されたデータは、一実施形態では、高速で、および少ない待ち時間で、１つ以上のユーザデバイス１２０および／またはゲートウェイ構成要素１４０に伝送または展開される。一実施形態では、サーバによって共有されるオブジェクトデータは、完全であり得るか、または圧縮され、ユーザ側で完全なオブジェクトデータを再作成するための命令を含み、ユーザのローカルコンピュータデバイス（例えば、ゲートウェイ１４０および／またはユーザデバイス１２０）によってレンダリングおよび可視化されてもよい。コンピューティングネットワーク１０５のサーバ１１０上で作動するソフトウェアは、いくつかの実施形態では、ユーザの特定のデバイスおよび帯域幅に応じて、デジタル世界内のオブジェクト（またはコンピューティングネットワーク１０５によって交換される任意の他のデータ）について、コンピューティングネットワーク１０５が生成して特定のユーザのデバイス１２０に送信するデータを適合させてもよい。例えば、ユーザがユーザデバイス１２０を通してデジタル世界と相互作用するとき、サーバ１１０は、ユーザによって使用されている特定のタイプのデバイス、デバイスの接続性および／またはユーザデバイスとサーバとの間の利用可能な帯域幅を認識し、ユーザ相互作用を最適化するように、デバイスに送達されているデータのサイズを適切に決定して均衡を保ってもよい。これの実施例は、データが低解像度ディスプレイを有する特定のユーザデバイス上で表示され得るように、伝送されるデータのサイズを低解像度品質に低減させることを含んでもよい。好ましい実施形態では、コンピューティングネットワーク１０５および／またはゲートウェイ構成要素１４０は、１５フレーム／秒またはそれより速く、かつ高精細度品質またはそれより高い解像度で動作するインターフェースを提示するのに十分な速度で、データをユーザデバイス１２０に送達する。
【００２７】
ゲートウェイ１４０は、１人以上のユーザのためのコンピューティングネットワーク１０５へのローカル接続を提供する。いくつかの実施形態では、それは、ユーザデバイス１２０または図２に示されるもの等の別のローカルデバイス上で作動するダウンロード可能なソフトウェアアプリケーションによって実装されてもよい。他の実施形態では、それは、ユーザデバイス１２０と通信しているが、ユーザデバイス１２０に組み込まれることも、取り付けられることもないか、あるいはユーザデバイス１２０に組み込まれるかのいずれかであるハードウェア構成要素（構成要素上に記憶された適切なソフトウェア／ファームウェアを有するプロセッサを有する構成要素）によって実装されてもよい。ゲートウェイ１４０は、データネットワーク１３０を介してコンピューティングネットワーク１０５と通信し、コンピューティングネットワーク１０５と１つ以上のローカルユーザデバイス１２０との間のデータ交換を提供する。以下でさらに詳細に論議されるように、ゲートウェイ構成要素１４０は、ソフトウェア、ファームウェア、メモリ、および処理回路を含んでもよく、ネットワーク１０５と１つ以上のローカルユーザデバイス１２０との間で通信されるデータを処理することが可能であり得る。
【００２８】
いくつかの実施形態では、ゲートウェイ構成要素１４０は、特定のユーザデバイス１２０のための最適データ処理能力を可能にするように、ユーザデバイス１２０とコンピュータネットワーク１０５との間で交換されるデータの速度を監視して調節する。例えば、いくつかの実施形態では、ゲートウェイ１４０は、ユーザデバイスと接続されたインターフェースを通してユーザに提示される視野を越えるものでさえも、デジタル世界の静的側面および動的側面の両方をバッファリングおよびダウンロードする。そのような実施形態では、静的オブジェクトのインスタンス（構造化データ、ソフトウェア実装方法、または両方）は、（ゲートウェイ構成要素１４０、ユーザデバイス１２０、または両方のローカルにある）メモリに記憶されてもよく、コンピューティングネットワーク１０５および／またはユーザのデバイス１２０によって提供されるデータによって示されるように、ローカルユーザの現在の位置に対して参照される。例えば、他のユーザおよび／またはローカルユーザによって制御される知的ソフトウェアエージェントおよびオブジェクトを含み得る、動的オブジェクトのインスタンスが、高速メモリバッファに記憶される。ユーザに提示された光景内の２次元または３次元オブジェクトを表す動的オブジェクトは、例えば、移動しているが変化してない静的形状、および変化している動的形状等の構成要素形状に分類することができる。変化している動的オブジェクトの一部は、ゲートウェイ構成要素１４０によって管理される、コンピューティングネットワーク１０５を通したサーバ１１０からのリアルタイムのスレッド高優先度データ流によって更新されることができる。優先スレッドデータ流の一実施例として、ユーザの眼の視野の６０度内にあるデータには、より外側にあるデータよりも高い優先度が与えられてもよい。別の実施例は、背景の静的オブジェクトよりも、ユーザの視野内の動的キャラクタおよび／またはオブジェクトを優先することを含む。
【００２９】
コンピューティングネットワーク１０５とユーザデバイス１２０との間のデータ接続を管理することに加えて、ゲートウェイ構成要素１４０は、ユーザデバイス１２０に提示され得るデータを記憶および／または処理してもよい。例えば、ゲートウェイ構成要素１４０は、いくつかの実施形態では、コンピューティングネットワーク１０５から、例えば、ユーザによる視認のためにレンダリングされるグラフィカルオブジェクトを表す、圧縮データを受信し、コンピューティングネットワーク１０５からユーザデバイス１２０に伝送されるデータ負荷を軽減するように高度レンダリング技法を行ってもよい。ゲートウェイ１４０が別個のデバイスである、別の実施例では、ゲートウェイ１４０は、処理のためにデータをコンピューティングネットワーク１０５に伝達するのではなく、オブジェクトのローカルインスタンスのデータを記憶および／または処理してもよい。
【００３０】
ここで図３も参照すると、デジタル世界は、ユーザのデバイスの能力に依存し得る種々の形式で、１人以上のユーザによって体験されてもよい。いくつかの実施形態では、ユーザデバイス１２０は、例えば、スマートフォン、タブレットデバイス、ヘッドアップディスプレイ（ＨＵＤ）、ゲーム機、またはウェアラブルデバイスを含んでもよい。概して、ユーザデバイスは、ディスプレイと結合される、デバイス上のメモリに記憶されたプログラムコードを実行するためのプロセッサと、通信インターフェースとを含む。ユーザデバイスの例示的実施形態が、図３で図示されており、ユーザデバイスは、モバイルウェアラブルデバイス、すなわち、頭部装着型表示システム３００を備える。本開示の実施形態によれば、頭部装着型表示システム３００は、ユーザインターフェース３０２と、ユーザ感知システム３０４と、環境感知システム３０６と、プロセッサ３０８とを含む。プロセッサ３０８は、頭部装着型システム３００から分離している孤立構成要素として図３で示されるが、代替実施形態では、プロセッサ３０８は、頭部装着型システム３００の１つ以上の構成要素と統合されてもよく、または例えば、ゲートウェイ１４０等の他のシステム１００の構成要素に組み込まれてもよい。
【００３１】
ユーザデバイスは、デジタル世界と相互作用し、デジタル世界を体験するためのインターフェース３０２をユーザに提示する。そのような相互作用は、ユーザおよびデジタル世界、システム１００とインターフェース接続する１人以上の他のユーザ、およびデジタル世界内のオブジェクトを含み得る。インターフェース３０２は、概して、画像および／または音声感覚入力（およびいくつかの実施形態では物理的感覚入力）をユーザに提供する。したがって、インターフェース３０２は、スピーカ（図示せず）と、いくつかの実施形態において、立体３Ｄビューイングおよび／または人間の視覚系のより自然な特性を具現化する３Ｄビューイングを可能にすることができる表示構成要素３０３とを含んでもよい。いくつかの実施形態では、表示構成要素３０３は、「オフ」設定にあるときに、光学的ひずみもコンピューティングオーバーレイもほとんど無い、ユーザの周囲の物理的環境の光学的に正しい視界を可能にする（透明ＯＬＥＤ等の）透明インターフェースを備えてもよい。以下でさらに詳細に論議されるように、インターフェース３０２は、種々の視覚／インターフェース性能および機能性を可能にする付加的な設定を含んでもよい。
【００３２】
ユーザ感知システム３０４は、いくつかの実施形態では、システム３００を装着する個々のユーザに関係する特定の特徴、特性、または情報を検出するように動作可能である１つ以上のセンサ３１０を含んでもよい。例えば、いくつかの実施形態では、センサ３１０は、例えば、瞳孔収縮／拡張、各瞳孔の角度測定値／位置、球形度、（経時的な眼形変化としての）眼形、および他の解剖学的データのうちの１つ以上のようなユーザのリアルタイム光学的特性／測定値を検出することが可能なカメラまたは光学検出／スキャン回路を含んでもよい。このデータは、ユーザの視認体験を最適化するために頭部装着型システム３００および／またはインターフェースシステム１００によって使用され得る情報（例えば、ユーザの視覚焦点）を提供してもよく、またはその情報を計算するために使用されてもよい。例えば、一実施形態では、センサ３１０はそれぞれ、ユーザの眼のそれぞれの瞳孔収縮速度を測定してもよい。このデータは、プロセッサ３０８に（あるいはゲートウェイ構成要素１４０に、またはサーバ１１０に）伝送されてもよく、データは、例えば、インターフェースディスプレイ３０３の輝度設定に対するユーザの反応を決定するために使用される。インターフェース３０２は、例えば、ディスプレイ３０３の輝度レベルが高すぎることをユーザの反応が示す場合に、ディスプレイ３０３を薄暗くすることによって、ユーザの反応に従って調整されてもよい。ユーザ感知システム３０４は、上記で論議され、または図３で図示されるもの以外の他の構成要素を含んでもよい。例えば、いくつかの実施形態では、ユーザ感知システム３０４は、ユーザから音声入力を受信するためのマイクロホンを含んでもよい。ユーザ感知システムはまた、１つ以上の赤外線カメラセンサ、１つ以上の可視スペクトルカメラセンサ、構造光エミッタおよび／またはセンサ、赤外光エミッタ、コヒーレント光エミッタおよび／またはセンサ、ジャイロ、加速度計、磁気計、近接センサ、ＧＰＳセンサ、超音波エミッタおよび検出器、ならびに触覚インターフェースを含んでもよい。
【００３３】
環境感知システム３０６は、ユーザの周囲の物理的環境からデータを取得するための１つ以上のセンサ３１２を含む。センサによって検出されるオブジェクトまたは情報は、入力としてユーザデバイスに提供されてもよい。いくつかの実施形態では、この入力は、仮想世界とのユーザ相互作用を表してもよい。例えば、デスク上の仮想キーボードを視認するユーザは、仮想キーボードをタイプしているかのように指でジェスチャしてもよい。移動する指の運動は、センサ３１２によって捕捉され、入力としてユーザデバイスまたはシステムに提供されてもよく、入力は、仮想世界を変化させるため、または新しい仮想オブジェクトを作成するために使用されてもよい。例えば、指の運動は、タイピングとして（ソフトウェアプログラムを使用して）認識されてもよく、認識されたタイピングのジェスチャは、仮想キーボード上の仮想キーの既知の位置と組み合わせられてもよい。次いで、システムは、ユーザ（またはシステムとインターフェース接続する他のユーザ）に表示される仮想モニタをレンダリングしてもよく、仮想モニタは、ユーザによってタイプされているテキストを表示する。
【００３４】
センサ３１２は、例えば、連続的および／または断続的に投影された赤外構造光を通して、光景情報を解釈するために、例えば、略外向きのカメラ、またはスキャナを含んでもよい。環境感知システム３０６は、静的オブジェクト、動的オブジェクト、人、ジェスチャ、ならびに種々の照明、大気、および音響条件を含む局所環境を検出して登録することによって、ユーザの周囲の物理的環境の１つ以上の要素をマッピングするために使用されてもよい。したがって、いくつかの実施形態では、環境感知システム３０６は、画像ベースの３Ｄ再構築ソフトウェアを含み得、画像ベースの３Ｄ再構築ソフトウェアは、ローカルコンピューティングシステム（例えば、ゲートウェイ構成要素１４０またはプロセッサ３０８）に組み込まれ、センサ３１２によって検出される１つ以上のオブジェクトまたは情報をデジタル的に再構築するように動作可能である。１つの例示的な実施形態では、環境感知システム３０６は、モーションキャプチャデータ（ジェスチャ認識を含む）、深度感知、顔認識、オブジェクト認識、独特オブジェクト特徴認識、音声／オーディオ認識および処理、音源局在化、雑音低減、赤外線レーザまたは類似レーザ投影、ならびにモノクロおよび／またはカラーＣＭＯＳセンサ（または他の類似センサ）、視野センサ、および種々の他の光強化センサのうちの１つ以上を提供する。環境感知システム３０６は、上記で論議され、または図３で図示されるもの以外の他の構成要素を含んでもよいことを理解されたい。例えば、いくつかの実施形態では、環境感知システム３０６は、局所環境から音声を受信するためのマイクロホンを含んでもよい。ユーザ感知システムはまた、１つ以上の赤外線カメラセンサ、１つ以上の可視スペクトルカメラセンサ、構造光エミッタおよび／またはセンサ、赤外光エミッタ、コヒーレント光エミッタおよび／またはセンサ、ジャイロ、赤外光エミッタ、加速度計、磁気計、近接センサ、ＧＰＳセンサ、超音波エミッタおよび検出器、ならびに触覚インターフェースを含んでもよい。
【００３５】
上述のように、プロセッサ３０８は、いくつかの実施形態では、頭部装着型システム３００の他の構成要素と統合され、インターフェースシステム１００の他の構成要素と統合されてもよく、または図３に示されるような孤立デバイス（装着型またはユーザから分離している）であってもよい。プロセッサ３０８は、物理的有線接続を通して、または、例えば、モバイルネットワーク接続（携帯電話およびデータネットワークを含む）、Ｗｉ−Ｆｉ、またはＢｌｕｅｔｏｏｔｈ（登録商標）等の無線接続を通して、頭部装着型システム３００の種々の構成要素および／またはインターフェースシステム１００の構成要素に接続されてもよい。プロセッサ３０８は、メモリモジュール、統合され、かつ／または付加的なグラフィック処理ユニット、無線および／または有線インターネット接続性、およびソース（例えば、コンピューティングネットワーク１０５、ユーザ感知システム３０４、環境感知システム３０６、またはゲートウェイ構成要素１４０）からのデータを画像およびオーディオデータに変換することが可能なコーデックおよび／またはファームウェアを含んでもよく、画像／ビデオおよびオーディオは、インターフェース３０２を介してユーザに提示されてもよい。
【００３６】
プロセッサ３０８は、頭部装着型システム３００の種々の構成要素のためのデータ処理、ならびに頭部装着型システム３００とゲートウェイ構成要素１４０（いくつかの実施形態ではコンピューティングネットワーク１０５）との間のデータ交換を取り扱う。例えば、プロセッサ３０８は、ユーザとコンピューティングネットワーク１０５との間のデータストリーミングをバッファリングおよび処理し、それにより、滑らかで、連続的、かつ高忠実度のユーザ体験を可能にするために使用されてもよい。いくつかの実施形態では、プロセッサ３０８は、３２０×２４０解像度における８フレーム／秒から高精細解像度（１２８０×７２０）における２４フレーム／秒の間のいずれか、またはそれ以上（例えば、６０〜１２０フレーム／秒および４ｋ解像度以上（１０ｋ＋解像度および５０，０００フレーム／秒））を達成するのに十分な速度で、データを処理してもよい。加えて、プロセッサ３０８は、コンピューティングネットワーク１０５からリアルタイムでストリーミング配信されるのではなく、ユーザに提示され得るデータを記憶および／または処理してもよい。例えば、プロセッサ３０８は、いくつかの実施形態では、コンピューティングネットワーク１０５から圧縮データを受信し、（明暗または陰影付け等の）高度レンダリング技法を行うことにより、コンピューティングネットワーク１０５からユーザデバイス１２０に伝送されるデータ負荷を軽減してもよい。別の実施例では、プロセッサ３０８は、データをゲートウェイ構成要素１４０に、またはコンピューティングネットワーク１０５に伝送するのではなく、ローカルオブジェクトデータを記憶および／または処理してもよい。
【００３７】
頭部装着型システム３００は、いくつかの実施形態では、種々の視覚／インターフェース性能および機能性を可能にする、種々の設定またはモードを含んでもよい。モードは、ユーザによって手動で、あるいは頭部装着型システム３００の構成要素またはゲートウェイ構成要素１４０によって自動的に選択されてもよい。前述のように、頭部装着型システム３００の一実施例は、インターフェース３０２が実質的にいかなるデジタルコンテンツも仮想コンテンツも提供しない「オフ」モードを含む。オフモードでは、表示構成要素３０３は、透明であり得、それにより、光学的ひずみもコンピューティングオーバーレイもほとんど無い、ユーザの周囲の物理的環境の光学的に正しい視界を可能にする。
【００３８】
１つの例示的実施形態では、頭部装着型システム３００は、インターフェース３０２が拡張現実インターフェースを提供する「拡張」モードを含む。拡張モードでは、インターフェースディスプレイ３０３は、実質的に透明であり得、それにより、ユーザが局所物理的環境を視認することを可能にする。同時に、コンピューティングネットワーク１０５、プロセッサ３０８、および／またはゲートウェイ構成要素１４０によって提供される仮想オブジェクトデータが、物理的局所環境と組み合わせて、ディスプレイ３０３上に提示される。
【００３９】
図４は、インターフェース３０２が拡張モードにおいて動作しているときにユーザによって視認されるオブジェクトの例示的実施形態を図示する。図４に示されるように、インターフェース３０２は、物理的オブジェクト４０２および仮想オブジェクト４０４を提示する。図４で図示される実施形態では、物理的オブジェクト４０２が、ユーザの局所環境に存在する実際の物理的オブジェクトである一方で、仮想オブジェクト４０４は、システム１００によって作成され、ユーザインターフェース３０２を介して表示されるオブジェクトである。いくつかの実施形態では、仮想オブジェクト４０４は、物理的環境内の固定位置または場所に表示されてもよく（例えば、物理的環境内に位置する特定の道路標識の隣に立つ仮想サル）、またはユーザインターフェース／ディスプレイ３０３に対する位置に位置するオブジェクトとしてユーザに表示されてもよい（例えば、ディスプレイ３０３の左上隅に見える仮想時計または温度計）。
【００４０】
いくつかの実施形態では、仮想オブジェクトは、ユーザの視野内または視野外に物理的に存在するオブジェクトから合図を出され、またはそれによって誘発されてもよい。仮想オブジェクト４０４は、物理的オブジェクト４０２から合図を出され、またはそれによって誘発される。例えば、物理的オブジェクト４０２は、実際にはスツールであってもよく、仮想オブジェクト４０４は、スツールの上に立つ仮想動物としてユーザに（いくつかの実施形態では、システム１００とインターフェース接続する他のユーザに）表示されてもよい。そのような実施形態では、環境感知システム３０６は、物理的オブジェクト４０２をスツールとして識別するために、種々の特徴および／または形状パターン（センサ３１２によって捕捉される）を認識するために、例えば、プロセッサ３０８に記憶されたソフトウェアおよび／またはファームウェアを使用してもよい。例えば、スツールの上部のようなこれらの認識された形状パターンは、仮想オブジェクト４０４の配置を誘発するために使用されてもよい。他の実施例は、壁、テーブル、家具、車、建造物、人、床、植物、動物を含み、１つまたは複数のオブジェクトと何らかの関係を持つ拡張現実体験を誘発するために、見ることができる任意のオブジェクトを使用することができる。
【００４１】
いくつかの実施形態では、誘発される特定の仮想オブジェクト４０４は、ユーザによって選択され、あるいは頭部装着型システム３００の他の構成要素またはインターフェースシステム１００によって自動的に選択されてもよい。加えて、仮想オブジェクト４０４が自動的に誘発される実施形態では、特定の仮想オブジェクト４０４は、仮想オブジェクト４０４が合図を出され、または誘発される特定の物理的オブジェクト４０２（またはその特徴）に基づいて選択されてもよい。例えば、物理的オブジェクトがプール上に延在する飛び込み板として識別された場合、誘発される仮想オブジェクトは、シュノーケル、水着、浮遊デバイス、または他の関連アイテムを着用した生物であってもよい。
【００４２】
別の例示的実施形態では、頭部装着型システム３００は、インターフェース３０２が仮想現実インターフェースを提供する「仮想」モードを含んでもよい。仮想モードでは、物理的環境は、ディスプレイ３０３から省略され、コンピューティングネットワーク１０５、プロセッサ３０８、および／またはゲートウェイ構成要素１４０によって提供される仮想オブジェクトデータが、ディスプレイ３０３上で提示される。物理的環境の省略は、（例えば、カバーによって）視覚ディスプレイ３０３を物理的に遮断することによって、またはディスプレイ３０３が不透明設定に移行するインターフェース３０２の特徴を通じて、達成されてもよい。仮想モードでは、ライブの視覚および音声感覚および／または記憶された視覚および音声感覚が、インターフェース３０２を通してユーザに提示されてもよく、ユーザは、インターフェース３０２の仮想モードを通してデジタル世界（デジタルオブジェクト、他のユーザ等）を体験し、それと相互作用する。したがって、仮想モードにおいてユーザに提供されるインターフェースは、仮想デジタル世界を含む仮想オブジェクトデータから構成される。
【００４３】
図５は、頭部装着型インターフェース３０２が仮想モードにおいて動作しているときのユーザインターフェースの例示的実施形態を図示する。図５で示されるように、ユーザインターフェースは、デジタルオブジェクト５１０から構成された仮想世界５００を提示し、デジタルオブジェクト５１０は、大気、天気、地形、建造物、および人を含んでもよい。図５で図示されていないが、デジタルオブジェクトはまた、例えば、植物、車両、動物、生物、機械、人工知能、位置情報、および仮想世界５００を定義する任意の他のオブジェクトまたは情報を含んでもよい。
【００４４】
別の例示的実施形態では、頭部装着型システム３００は、「混合」モードを含んでもよく、頭部装着型システム３００の種々の特徴（ならびに仮想モードおよび拡張モードの特徴）は、１つ以上のカスタムインターフェースモードを作成するように組み合わせられてもよい。１つのカスタムインターフェースモード例では、物理的環境は、ディスプレイ３０３から省略され、仮想オブジェクトデータが、仮想モードに類似する方式でディスプレイ３０３上に提示される。しかしながら、このカスタムインターフェースモード例では、仮想オブジェクトは、完全に仮想であり得る（すなわち、それらは局所物理的環境内に存在しない）か、またはそれらは、物理的オブジェクトの代わりにインターフェース３０２の中で仮想オブジェクトとしてレンダリングされる、実際の局所物理的オブジェクトであってもよい。したがって、特定のカスタムモード（本明細書では混合仮想インターフェースモードと呼ばれる）では、ライブの視覚および音声感覚および／または記憶された視覚および音声感覚が、インターフェース３０２を通してユーザに提示されてもよく、ユーザは、完全仮想オブジェクトおよびレンダリングされた物理的オブジェクトを含むデジタル世界を体験し、それと相互作用する。
【００４５】
図６は、混合仮想インターフェースモードに従って動作するユーザインターフェースの例示的実施形態を図示する。図６に示されるように、ユーザインターフェースは、完全仮想オブジェクト６１０およびレンダリングされた物理的オブジェクト６２０（別様に光景の中で物理的に存在するオブジェクトのレンダリング）から構成される仮想世界６００を提示する。図６で図示される実施例によれば、レンダリングされた物理的オブジェクト６２０は、建造物６２０Ａ、地面６２０Ｂ、およびプラットフォーム６２０Ｃを含み、オブジェクトがレンダリングされていることをユーザに示すために、太い輪郭６３０で示される。加えて、完全仮想オブジェクト６１０は、付加的なユーザ６１０Ａ、雲６１０Ｂ、太陽６１０Ｃ、およびプラットフォーム６２０Ｃの上の炎６１０Ｄを含む。完全仮想オブジェクト６１０は、例えば、大気、天気、地形、建造物、人、植物、車両、動物、生物、機械、人工知能、位置情報、および仮想世界６００を定義し、局所物理的環境内に存在するオブジェクトからレンダリングされていない任意の他のオブジェクトまたは情報を含んでもよいことを理解されたい。逆に、レンダリングされた物理的オブジェクト６２０は、インターフェース３０２の中で仮想オブジェクトとしてレンダリングされる、実際の局所物理的オブジェクトである。太い輪郭６３０は、レンダリングされた物理的オブジェクトをユーザに示すための一実施例を表す。したがって、レンダリングされた物理的オブジェクトは、本明細書で開示されるもの以外の方法を使用するように、示されてもよい。
【００４６】
いくつかの実施形態では、レンダリングされた物理的オブジェクト６２０は、環境感知システム３０６のセンサ３１２を使用して（あるいはモーションまたは画像キャプチャシステム等の他のデバイスを使用して）検出され、例えば、処理回路３０８に記憶されたソフトウェアおよび／またはファームウェアによって、デジタルオブジェクトデータに変換されてもよい。したがって、ユーザが混合仮想インターフェースモードにおいてシステム１００とインターフェース接続すると、種々の物理的オブジェクトが、レンダリングされた物理的オブジェクトとしてユーザに表示されてもよい。これは、依然として局所物理的環境を安全にナビゲートすることが可能なままで、ユーザがシステム１００とインターフェース接続することを可能にするために、特に有用であり得る。いくつかの実施形態では、ユーザは、レンダリングされた物理的オブジェクトを選択的に除去し、またはインターフェースディスプレイ３０３に追加することが可能であり得る。
【００４７】
別のカスタムインターフェースモード例では、インターフェースディスプレイ３０３は、実質的に透明であり得、それにより、種々の局所物理的オブジェクトが、レンダリングされた物理的オブジェクトとしてユーザに表示されている間に、ユーザが局所物理的環境を視認することを可能にする。このカスタムインターフェースモード例は、以前の実施例に関して上記で論議されるように、仮想オブジェクトのうちの１つ以上がレンダリングされた物理的オブジェクトであり得ることを除いて、拡張モードに類似する。
【００４８】
先述のカスタムインターフェースモード例は、頭部装着型システム３００の混合モードによって提供されることが可能な種々のカスタムインターフェースモードのいくつかの例示的実施形態を表す。したがって、種々の他のカスタムインターフェースモードが、本開示の範囲から逸脱することなく、頭部装着型システム３００の構成要素および上記で論議される種々のモードによって提供される特徴および機能性の種々の組み合わせから作成されてもよい。
【００４９】
本明細書で論議される実施形態は、オフモード、拡張モード、仮想モード、または混合モードにおいて動作するインターフェースを提供するためのいくつかの実施例を説明するにすぎず、それぞれのインターフェースモードの範囲または内容、あるいは頭部装着型システム３００の構成要素の機能性を限定することを目的としていない。例えば、いくつかの実施形態では、仮想オブジェクトは、ユーザに表示されたデータ（時間、温度、高度等）、システム１００によって作成および／または選択されたオブジェクト、ユーザによって作成および／または選択されるオブジェクト、またはシステム１００とインターフェース接続する他のユーザを表すオブジェクトさえも含んでもよい。加えて、仮想オブジェクトは、物理的オブジェクトの拡張（例えば、物理的プラットフォームから成長する仮想彫像）を含んでもよく、かつ物理的オブジェクトに視覚的に接続され、またはそこから分離されてもよい。
【００５０】
仮想オブジェクトはまた、動的であり、時間とともに変化し、ユーザまたは他のユーザ、物理的オブジェクト、および他の仮想オブジェクトの間の種々の関係（例えば、位置、距離等）に従って変化し、かつ／または頭部装着型システム３００、ゲートウェイ構成要素１４０、またはサーバ１１０のソフトウェアおよび／またはファームウェアにおいて規定される他の変数に従って変化してもよい。例えば、特定の実施形態では、仮想オブジェクトは、ユーザデバイスまたはその構成要素（例えば、仮想ボールは、触覚デバイスがそれの隣に配置されると、移動する）、物理的または言葉によるユーザ相互作用（例えば、仮想生物は、ユーザがそれに接近すると、逃げ、またはユーザがそれに話し掛けると、話す）、椅子が仮想生物に投げつけられて生物が椅子を避けること、他の仮想オブジェクト（例えば、第１の仮想生物が第２の仮想生物を見ると、反応する）、位置、距離、温度、時間等の物理的変数、またはユーザの環境内の他の物理的オブジェクトに応答してもよい（例えば、物理的な道に立って示される仮想生物は、物理的な車が通過すると、扁平になる）。
【００５１】
本明細書で論議される種々のモードは、頭部装着型システム３００以外のユーザデバイスに適用されてもよい。例えば、拡張現実インターフェースが、携帯電話またはタブレットデバイスを介して提供されてもよい。そのような実施形態では、電話またはタブレットは、ユーザの周囲の物理的環境を捕捉するためにカメラを使用してもよく、仮想オブジェクトは、電話／タブレットディスプレイ画面上でオーバーレイされてもよい。加えて、仮想モードは、電話／タブレットのディスプレイ画面上でデジタル世界を表示することによって提供されてもよい。したがって、これらのモードは、本明細書で論議される電話／タブレットの構成要素、ならびにユーザデバイスに接続され、またはユーザデバイスと組み合わせて使用される他の構成要素を使用して、上記で説明されるような種々のカスタムインターフェースモードを作成するように混合されてもよい。例えば、混合仮想インターフェースモードは、モーションまたは画像キャプチャシステムと組み合わせて動作する、コンピュータモニタ、テレビ画面、またはカメラの無い他のデバイスによって提供されてもよい。この例示的実施形態では、仮想世界は、モニタ／画面から視認されてもよく、オブジェクト検出およびレンダリングは、モーションまたは画像キャプチャシステムによって行われてもよい。
【００５２】
図７は、異なる地理的位置に位置する２人のユーザがそれぞれ、それぞれのユーザデバイスを通して、他方のユーザおよび共通仮想世界と相互作用する、本発明の例示的実施形態を図示する。本実施形態では、２人のユーザ７０１および７０２が、仮想ボール７０３（一種の仮想オブジェクト）を前後に投げており、各ユーザは、仮想世界に対する他方のユーザの影響を観察することが可能である（例えば、各ユーザは、仮想ボールが方向を変えること、他方のユーザによって捕らえられること等を観察する）。仮想オブジェクト（すなわち、仮想ボール７０３）の移動および位置がコンピューティングネットワーク１０５内のサーバ１１０によって追跡されるため、システム１００は、いくつかの実施形態では、各ユーザに対するボール７０３の到着の正確な位置およびタイミングをユーザ７０１および７０２に通信してもよい。例えば、第１のユーザ７０１がロンドンに位置する場合、ユーザ７０１は、システム１００によって計算される速度で、ロサンゼルスに位置する第２のユーザ７０２にボール７０３を投げてもよい。したがって、システム１００は、ボールの到着の正確な時間および位置を（例えば、Ｅメール、テキストメッセージ、インスタントメッセージ等を介して）第２のユーザ７０２に通信してもよい。この場合、第２のユーザ７０２は、ボール７０３が特定された時間および位置に到着することを見るために、自分のデバイスを使用してもよい。１人以上のユーザはまた、地球を仮想的に旅する場合に、１つ以上の仮想オブジェクトを追跡するために、地理位置情報マッピングソフトウェア（または同様のもの）を使用してもよい。これの例は、空を見上げ、現実世界に重ね合わせられた、頭上を飛ぶ仮想飛行機を見ている、３Ｄ頭部装着型ディスプレイを装着したユーザであってもよい。仮想飛行機は、ユーザによって、知的ソフトウェアエージェント（ユーザデバイスまたはゲートウェイ上で実行するソフトウェア）、局所および／または遠隔に存在し得る他のユーザ、および／またはこれらの組み合わせのうちの任意のものによって飛ばされてもよい。
【００５３】
前述のように、ユーザデバイスは、触覚インターフェースデバイスを含んでもよく、触覚インターフェースデバイスは、触覚デバイスが、仮想オブジェクトに対して物理的空間位置に位置することがシステム１００によって決定されるときに、フィードバック（例えば、抵抗、振動、光、音等）をユーザに提供する。例えば、図７に関して上記で説明された実施形態は、図８に示されるように、触覚デバイス８０２の使用を含むように拡張されてもよい。
【００５４】
この例示的実施形態では、触覚デバイス８０２は、野球のバットとして仮想世界で表示されてもよい。ボール７０３が到着すると、ユーザ７０２は、仮想ボール７０３に向かって触覚デバイス８０２を振ってもよい。触覚デバイス８０２によって提供される仮想バットがボール７０３と「接触」したことをシステム１００が決定した場合には、触覚デバイス８０２が、振動し、または他のフィードバックをユーザ７０２に提供してもよく、仮想ボール７０３は、ボールとバットとの接触の検出された速度、方向、およびタイミングに従って、システム１００によって計算される方向に仮想バットから跳ね返り得る。
【００５５】
開示されたシステム１００は、いくつかの実施形態では、混合モードインターフェース接続を容易にしてもよく、複数のユーザが、異なるインターフェースモード（例えば、拡張、仮想、混合等）を使用して、共通仮想世界（およびその中に含まれる仮想オブジェクト）とインターフェース接続してもよい。例えば、仮想インターフェースモードにおいて特定の仮想世界とインターフェース接続する第１のユーザは、拡張現実モードにおいて同一の仮想世界とインターフェース接続する第２のユーザと相互作用してもよい。
【００５６】
図９Ａは、第１のユーザ９０１（混合仮想インターフェースモードにおいてシステム１００のデジタル世界とインターフェース接続する）および第１のオブジェクト９０２が、完全仮想現実モードにおいてシステム１００の同一のデジタル世界とインターフェース接続する第２のユーザ９２２に対して、仮想オブジェクトとして現れる、実施例を図示する。上記で説明されたように、混合仮想インターフェースモードを介してデジタル世界とインターフェース接続するとき、局所物理的オブジェクト（例えば、第１のユーザ９０１および第１のオブジェクト９０２）が、スキャンされ、仮想世界において仮想オブジェクトとしてレンダリングされてもよい。第１のユーザ９０１は、例えば、モーションキャプチャシステムまたは類似デバイスによってスキャンされ、第１のレンダリングされた物理的オブジェクト９３１として、（モーションキャプチャシステム、ゲートウェイ構成要素１４０、ユーザデバイス１２０、システムサーバ１１０、または他のデバイスに記憶されたソフトウェア／ファームウェアによって）仮想世界においてレンダリングされてもよい。同様に、第１のオブジェクト９０２は、例えば、頭部装着型インターフェース３００の環境感知システム３０６によってスキャンされ、第２のレンダリングされた物理的オブジェクト９３２として、（プロセッサ３０８、ゲートウェイ構成要素１４０、システムサーバ１１０、または他のデバイスに記憶されたソフトウェア／ファームウェアによって）仮想世界においてレンダリングされてもよい。第１のユーザ９０１および第１のオブジェクト９０２は、物理的世界において物理的オブジェクトとして、図９Ａの第１の部分９１０で示される。図９Ａの第２の部分９２０では、第１のユーザ９０１および第１のオブジェクト９０２は、第１のレンダリングされた物理的オブジェクト９３１および第２のレンダリングされた物理的オブジェクト９３２として、完全仮想現実モードにおいてシステム１００の同一のデジタル世界とインターフェース接続する第２のユーザ９２２に対して現れるように、示される。
【００５７】
図９Ｂは、第１のユーザ９０１が、上記で論議されるように、混合仮想インターフェースモードにおいてデジタル世界とインターフェース接続しており、第２のユーザ９２２が、拡張現実モードにおいて同一のデジタル世界（および第２のユーザの物理的局所環境９２５）とインターフェース接続している、混合モードインターフェース接続の別の例示的実施形態を図示する。図９Ｂの実施形態では、第１のユーザ９０１および第１のオブジェクト９０２は、第１の物理的位置９１５に位置し、第２のユーザ９２２は、第１の位置９１５からいくらかの距離だけ分離された、異なる第２の物理的位置９２５に位置する。この実施形態では、仮想オブジェクト９３１および９３２は、第２の位置９２５に対応する仮想世界内の位置までリアルタイム（または近リアルタイム）で転置されてもよい。したがって、第２のユーザ９２２は、第２のユーザの物理的局所環境９２５において、第１のユーザ９０１を表すレンダリングされた物理的オブジェクト９３１および第１のオブジェクト９０２を表すレンダリングされた物理的オブジェクト９３２を観察し、それらと相互作用してもよい。
【００５８】
図１０は、拡張現実モードにおいてシステム１００とインターフェース接続するときのユーザの視界の例示的例証を図示する。図１０に示されるように、ユーザは、局所物理的環境（すなわち、複数の建造物を有する都市）ならびに仮想キャラクタ１０１０（すなわち、仮想オブジェクト）を見る。仮想キャラクタ１０１０の位置は、２Ｄ視覚標的（例えば、看板、はがき、または雑誌）および／または１つ以上の３Ｄ基準座標系（例えば、建造物、車、人、動物、飛行機、建造物の部分、および／または３Ｄ物理的オブジェクト、仮想オブジェクト、および／またはそれらの組み合わせ）によって誘発されてもよい。図１０で図示される実施例では、都市の中の建造物の既知の位置が、仮想キャラクタ１０１０をレンダリングするための位置合わせ基準および／または情報ならびに重要な特徴を提供してもよい。加えて、建造物に対するユーザの地理空間的位置（例えば、ＧＰＳ、姿勢／位置センサ等によって提供される）またはモバイル位置は、仮想キャラクタ１０１０（単数または複数）を表示するために使用されるデータの伝送を誘発するように、コンピューティングネットワーク１０５によって使用されるデータを含んでもよい。いくつかの実施形態では、仮想キャラクタ１０１０を表示するために使用されるデータは、レンダリングされたキャラクタ１０１０および／または仮想キャラクタ１０１０またはその部分をレンダリングするための命令（ゲートウェイ構成要素１４０および／またはユーザデバイス１２０によって実行される）を含んでもよい。いくつかの実施形態では、ユーザの地理空間的位置が利用不可能であるか、または不明である場合、サーバ１１０、ゲートウェイ構成要素１４０、および／またはユーザデバイス１２０は、時間および／または他のパラメータの関数としてユーザの最後の既知の位置を使用して、特定の仮想オブジェクトおよび／または物理的オブジェクトが位置し得る場所を推定する推定アルゴリズムを使用して、仮想オブジェクト１０１０を依然として表示してもよい。これはまた、ユーザのセンサが妨げられ、かつ／または他の誤動作を体験した場合に、任意の仮想オブジェクトの位置を決定するために使用されてもよい。
【００５９】
いくつかの実施形態では、仮想キャラクタまたは仮想オブジェクトは、仮想像を備えてもよく、仮想像のレンダリングは、物理的オブジェクトによって誘発される。例えば、ここで図１１を参照すると、仮想像１１１０は、実際の物理的プラットフォーム１１２０によって誘発されてもよい。像１１１０の誘発は、ユーザデバイスまたはシステム１００の他の構成要素によって検出された視覚オブジェクトまたは特徴（例えば、基準、設計特徴、幾何学形状、パターン、物理的位置、高度等）に応答してもよい。ユーザがユーザデバイスを用いることなくプラットフォーム１１２０を視認するとき、ユーザは、像１１１０がないプラットフォーム１１２０を見る。しかしながら、ユーザがユーザデバイスを通してプラットフォーム１１２０を視認するとき、ユーザは、図１１に示されるように、プラットフォーム１１２０上の像１１１０を見る。像１１１０は、仮想オブジェクトであり、したがって、静止し、活動し、経時的に、またはユーザの視認位置に対して変化し、あるいは、どの特定のユーザが像１１１０を視認しているかに応じてさらに変化してもよい。例えば、ユーザが小さい子供である場合、像は犬であってもよく、その上、見る人が成人男性である場合、像は、図１１に示されるような大きなロボットであってもよい。これらは、ユーザ依存性体験および／または状態依存性体験の例である。これは、１人以上のユーザが、単独で、および／または物理的オブジェクトと組み合わせて、１つ以上の仮想オブジェクトを知覚し、仮想オブジェクトのカスタマイズおよび個人化されたバージョンを体験することを可能にする。像１１１０（またはその部分）は、例えば、ユーザデバイス上にインストールされたソフトウェア／ファームウェアを含むシステムの種々の構成要素によってレンダリングされてもよい。仮想オブジェクト（すなわち、像１１１０）の位置合わせ特徴と組み合わせて、ユーザデバイスの位置および姿勢を示すデータを使用して、仮想オブジェクト（すなわち、像１１１０）は、物理的オブジェクト（すなわち、プラットフォーム１１２０）との関係を形成する。例えば、１つ以上の仮想オブジェクトと１つ以上の物理的オブジェクトとの間の関係は、距離、位置決め、時間、地理位置情報、１つ以上の他の仮想オブジェクトへの近接性、ならびに／または任意の種類の仮想データおよび／または物理的データを含む任意の他の機能的関係の関数であってもよい。いくつかの実施形態では、ユーザデバイスの中の画像認識ソフトウェアが、デジタル的−物理的オブジェクトの関係をさらに強化してもよい。
【００６０】
開示されたシステムおよび方法によって提供される双方向インターフェースは、例えば、１つ以上の仮想環境およびオブジェクトと相互作用すること、他のユーザと相互作用すること、ならびに広告、音楽のコンサート、および映画を含む種々の形態のメディアコンテンツを体験すること等の種々のアクティビティを促進するように実装されてもよい。したがって、開示されたシステムは、ユーザが、メディアコンテンツを見るか、または聴くだけでなく、むしろ、メディアコンテンツに積極的に参加して体験するように、ユーザ相互作用を促進する。いくつかの実施形態では、ユーザ参加は、既存のコンテンツを変更すること、または１つ以上の仮想世界においてレンダリングされる新しいコンテンツを作成することを含んでもよい。いくつかの実施形態では、メディアコンテンツ、および／またはコンテンツを作成するユーザは、１つ以上の仮想世界の創造をテーマにしてもよい。
【００６１】
一実施例では、音楽家（または他のユーザ）が、特定の仮想世界と相互作用するユーザに対してレンダリングされる音楽コンテンツを作成してもよい。音楽コンテンツは、例えば、種々のシングル、ＥＰ、アルバム、ビデオ、短編映画、およびコンサートの演奏を含んでもよい。一実施例では、多数のユーザが、音楽家によって演奏された仮想コンサートを同時に体験するように、システム１００とインターフェース接続してもよい。
【００６２】
いくつかの実施形態では、制作されるメディアは、特定のエンティティ（例えば、バンド、アーティスト、ユーザ等）と関連付けられる一意の識別子コードを含み得る。コードは、一式の文字数字、ＵＰＣコード、ＱＲコード（登録商標）、２Ｄ画像トリガ、３Ｄ物理的オブジェクト特徴トリガ、または他のデジタルマークの形態、ならびに音、画像、および／または両方であってもよい。いくつかの実施形態では、コードはまた、システム１００を使用してインターフェース接続され得るデジタルメディアに埋め込まれてもよい。ユーザは、（例えば、料金の支払によって）コードを取得し、コードと引き換えに識別子コードと関連付けられるエンティティによって制作されたメディアコンテンツにアクセスし得る。メディアコンテンツは、ユーザのインターフェースに追加され、またはユーザのインターフェースから除去されてもよい。
【００６３】
一実施形態では、少ない待ち時間で１つのコンピューティングシステムから別のコンピューティングシステムへ（例えば、クラウドコンピューティングシステムからユーザに結合されたローカルプロセッサへ）リアルタイムまたは近リアルタイムのビデオデータを渡すことの計算および帯域幅制限を回避するために、種々の形状および幾何学形状に関するパラメータ情報が転送され、表面を画定するために利用され得ると同時に、テクスチャが転送され、これらの表面に追加されることにより、パラメータ的に再現された顔の幾何学形状の上にマップされた個人の顔のビットマップベースのビデオ詳細等の静的または動的詳細をもたらす。別の実施例として、システムが個人の顔を認識するように構成され、個人のアバターが拡張世界に位置することを把握している場合、本システムは、１つの比較的大型のセットアップ転送において関連する世界情報および個人のアバター情報を渡すように構成されてもよく、その後、ローカルレンダリングのための、図１で描写された３０８等のローカルコンピューティングシステムへの残りの転送は、初期セットアップ転送またはリアルタイムビデオの受け渡しと比較してはるかに小さい帯域幅で、個人の骨格構造の運動パラメータおよび個人の顔の移動ビットマップ等のパラメータおよびテクスチャ更新に限定されてもよい。したがって、クラウドが、比較的少ない待ち時間を必要としない計算を取り扱い、ローカル処理アセットが少ない待ち時間が重視されるタスクを取り扱う統合様式で、クラウドベースおよびローカルコンピューティングアセットが使用されてもよく、そのような場合において、ローカルシステムに転送されるデータの形態は、好ましくは、ある量のそのようなデータの形態（すなわち、全てのリアルタイムビデオと対比したパラメータ情報、テクスチャ等）により、比較的低い帯域幅で渡される。
【００６４】
先に図１５を参照すると、略図がクラウドコンピューティングアセット（４６）とローカル処理アセット（３０８、１２０）との間の協調を図示する。一実施形態では、クラウド（４６）アセットは、例えば、有線ネットワーキングまたは無線ネットワーキング（無線が移動性のために好まれ、有線が、所望され得る特定の高帯域幅または大データ容量転送に好まれる）を介して、ユーザの頭部（１２０）またはベルト（３０８）に結合されるように構成された構造に収納され得るプロセッサおよびメモリ構成等のローカルコンピューティングアセット（１２０、３０８）の一方または両方に直接的に（４０、４２）動作可能に結合される。ユーザにローカルであるこれらのコンピューティングアセットは、有線および／または無線接続構成（４４）を介して、同様に相互に動作可能に結合されてもよい。一実施形態では、低慣性および小型頭部装着型サブシステム（１２０）を維持するために、ユーザとクラウド（４６）との間の一次転送は、ベルトベースのサブシステム（３０８）とクラウドとの間のリンクを介してもよく、頭部装着型サブシステム（１２０）は、主に、例えば、パーソナルコンピューティング周辺接続用途において現在採用されているような超広帯域（「ＵＷＢ」）接続等の無線接続を使用して、ベルトベースのサブシステム（３０８）にデータテザリングされる。
【００６５】
効率的なローカルおよび遠隔処理協調、ならびにユーザ用の適切な表示デバイス（例えば、図３で特色とされるユーザインターフェース３０２またはユーザ「表示デバイス」、図１４を参照して以下で説明される表示ディスプレイ１４、またはその変形例）を用いて、ユーザの現在の実際または仮想の位置に関連する１つの世界の側面が、ユーザに転送されるか、または「渡され」、効率的に更新されてもよい。実際に、一実施形態では、１人の個人が拡張現実モードにおいて仮想現実システム（「ＶＲＳ」）を利用し、別の個人が第１の個人にローカルである同一の世界を探索するために完全仮想モードにおいてＶＲＳを利用すると、２人のユーザは、種々の様式でその世界を相互に体験してもよい。例えば、図１２を参照すると、完全仮想現実シナリオから描写した拡張現現実世界を通して飛んでいる第２のユーザのアバター２の可視化を追加した、図１１を参照して説明されるものに類似するシナリオが描写されている。換言すれば、図１２で描写される光景は、第１の個人に対する拡張現実において体験され、表示されてもよく、地面、背景の建造物、像プラットフォーム１１２０等の光景内のローカル世界の周囲の実際の物理的要素に加えて、２つの拡張現実要素（像１１１０および飛んでいる第２の個人のマルハナバチアバター２）が表示されている。アバター２が第１の個人にローカルである世界を通して飛ぶ場合、第１の個人が第２の個人のアバター２の進展を可視化することを可能にするために、動的更新が利用されてもよい。
【００６６】
再度、クラウドコンピューティングリソース上に存在し、そこから配信されることができる１つの世界モデルがある、上記で説明されたような構成を用いると、そのような世界は、リアルタイムビデオデータまたは同様のものを分配しようとすることに好ましい比較的低い帯域幅形式で１人以上のユーザに「渡すことが可能」であり得る。像の付近に立っている（すなわち、図１２に示されるような）個人の拡張体験は、クラウドベースの世界モデルによって知らされてもよく、そのサブセットは、視界を完成するように、その個人およびその個人のローカル表示デバイスまで渡されてもよい。机の上に位置するパーソナルコンピュータと同じくらい単純であり得る遠隔表示デバイスに向かって座っている個人は、クラウドから情報の同一のセクションを効率的にダウンロードし、それをディスプレイ上でレンダリングさせることができる。実際に、像の付近で公園内に実際に存在する１人の個人が、その公園内で散歩するために遠隔に位置する友達を連れてもよく、友達は仮想現実および拡張現実を通して参加する。本システムは、どこに道があるか、どこに木があるか、どこに像があるかを把握する必要があるが、クラウド上にその情報があると、参加する友達がクラウドからシナリオ側面をダウンロードし、次いで、実際に公園にいる個人に対してローカルである拡張現実として、一緒に歩き始めることができる。
【００６７】
図１３を参照すると、時間および／または偶発性パラメータに基づいた実施形態が描写され、図３で特色とされるユーザインターフェース３０２またはユーザ表示デバイス、図１４を参照して以下で説明される表示デバイス１４、またはそれらの変形例等の仮想現実および／または拡張現実インターフェースと関わり合う個人が、システムを利用しており（４）、１杯のコーヒーを注文するためにコーヒー店に入る（６）。ＶＲＳは、コーヒー店のドアの強調表示された場所、または関連コーヒーメニューのバブルウィンドウ等の個人のための拡張現実および／または仮想現実での表示性能向上を提供するために、ローカルに、かつ／または遠隔的に感知およびデータ収集能力を利用するように構成されてもよい（８）。個人が注文した１杯のコーヒーを受け取るとき、または本システムによる何らかの他の関連パラメータの検出時に、本システムは、局所環境において１つ以上の時間ベースの拡張現実または仮想現実画像、ビデオ、および／または音声（例えば、ジャングルの音声および他の効果を伴って、または伴わずに、静的または動的のいずれか一方である、壁および天井からマダガスカルのジャングルの光景）を、表示デバイスを用いて表示するように構成されてもよい（１０）。ユーザへのそのような提示は、タイミングパラメータ（すなわち、満杯のコーヒーカップが認識されてユーザに手渡された５分後、本システムが店のフロントドアを通って歩くユーザを認識した１０分後等）、または他のパラメータ（例えば、ユーザがカップからコーヒーの最後の一口を摂取する場合のコーヒーカップの逆さまの配向に注目することによって、ユーザがコーヒーを飲み終わったことの本システムによる認識、またはユーザが店のフロントドアから出たことの本システムによる認識）に基づいて中断されてもよい（１２）。
【００６８】
図１４を参照すると、筐体またはフレーム（８４）によってユーザの頭部または眼に装着され得る表示レンズ（８２）を備える好適なユーザ表示デバイス（１４）の一実施形態が示されている。表示レンズ（８２）は、ユーザの眼（２０）の前で筐体（８４）によって位置決めされる１つ以上の透明な鏡を備え、１つ以上の透明な鏡は、拡張現実構成において局所環境から少なくともいくらかの光の透過も可能にしながら、眼（２０）の中へ投影光（３８）を反射してビーム成形を促進するように構成されてもよい（仮想現実構成では、表示システム１４が、暗色化されたバイザ、遮断カーテン、完全黒色ＬＣＤパネルモード、または同様のもの等によって、局所環境から実質的に全ての光を遮断することが可能であることが望ましくあり得る）。描写した実施形態では、２つの広視野マシンビジョンカメラ（１６）が、ユーザの周囲の環境を撮像するように筐体（８４）に結合される。一実施形態では、これらのカメラ（１６）は、デュアルキャプチャ可視光／赤外光カメラである。描写した実施形態はまた、示されるように、眼（２０）の中へ光（３８）を投影するように構成された表示鏡およびオプティクスとともに、一対のスキャンレーザ波面形状（すなわち、深度のための）投光器モジュールも備える。描写された実施形態はまた、レンダリングおよびユーザ入力を支援するために、ユーザの眼（２０）を追跡することができるように構成された赤外光光源（２６、発光ダイオード「ＬＥＤ」等）と対にされた２つの小型赤外線カメラ（２４）も備える。システム（１４）はさらに、センサアセンブリ（３９）を特色とし、センサアセンブリ（３９）は、Ｘ軸、Ｙ軸、およびＺ軸加速度計能力と、磁気コンパスと、Ｘ軸、Ｙ軸、およびＺ軸ジャイロ能力とを備え、好ましくは、２００Ｈｚ等の比較的高い周波数でデータを提供し得る。描写されたシステム（１４）はまた、キャプチャデバイス（１６）から出力される広視野画像情報からリアルタイムまたは近リアルタイムのユーザ頭部姿勢を計算するように構成され得るＡＳＩＣ（特定用途向け集積回路）、ＦＰＧＡ（フィールドプログラマブルゲートアレイ）、および／またはＡＲＭプロセッサ（高度縮小命令セットマシン）等の頭部姿勢プロセッサ（３６）も備える。また、デジタルおよび／またはアナログ処理を実行して、センサアセンブリ（３９）からのジャイロ、コンパス、および／または加速度計データから姿勢を導出するように構成された別のプロセッサ（３２）も示されている。描写された実施形態はまた、姿勢および位置決めを支援するＧＰＳ（３７、全地球測位衛星）サブシステムも特色とする。最後に、描写された実施形態は、ユーザにローカルであるレンダリング情報を提供して、ユーザの世界の視野のためにスキャナの動作およびユーザの眼の中への撮像を促進するように構成されたソフトウェアプログラムを作動させるハードウェアを特色とし得るレンダリングエンジン（３４）を備える。レンダリングエンジン（３４）は、レンダリングされた拡張現実および／または仮想現実オブジェクトの光が、網膜スキャンディスプレイと同様にスキャンレーザ配列（１８）を使用して投影されるように、センサ姿勢プロセッサ（３２）、画像姿勢プロセッサ（３６）、視標追跡カメラ（２４）、および投影サブシステム（１８）に動作可能に結合される（８１、７０、７６／７８、８０、すなわち、有線または無線接続を介して）。投影された光線（３８）の波面は、拡張現実および／または仮想現実オブジェクトの所望の焦点距離と一致するように屈曲または集束されてもよい。ミニ赤外線カメラ（２４）が、レンダリングおよびユーザ入力（すなわち、ユーザがどこを見ているか、どの深度でユーザが焦点を合わせているか、（以下で論議されるように、焦点深度を推定するために眼の縁が利用されてもよい））を支援するために眼を追跡するために利用されてもよい。ＧＰＳ（３７）、ジャイロ、コンパス、および加速度計（３９）は、進路推定および／または高速姿勢推定を提供するために利用されてもよい。カメラ（１６）の画像および姿勢は、関連クラウドコンピューティングリソースからのデータと併せて、局所世界をマッピングし、ユーザ視野を仮想現実または拡張現実コミュニティと共有するために利用されてもよい。図１４で特色とされる表示システム（１４）内のハードウェアの大部分が、ディスプレイ（８２）およびユーザの眼（２０）に隣接する筐体（８４）に直接結合されて描写されているが、描写されたハードウェア構成要素は、例えば、図３に示されるように、ベルト装着構成要素等の他の構成要素に装着されるか、または他の構成要素内に収納されてもよい。一実施形態では、図１４で特色とされるシステム（１４）の構成要素の全ては、画像姿勢プロセッサ（３６）、センサ姿勢プロセッサ（３２）、およびレンダリングエンジン（３４）を除いて、ディスプレイ筐体（８４）に直接結合され、画像姿勢プロセッサ（３６）、センサ姿勢プロセッサ（３２）、およびレンダリングエンジン（３４）とシステム（１４）の残りの構成要素との間の通信は、超広帯域等の無線通信または有線通信によるものであってもよい。描写された筐体（８４）は、好ましくは、頭部装着型であり、ユーザによって装着可能である。それはまた、ユーザの耳に挿入され、図１３を参照して参照されるジャングルの音声等の拡張現実または仮想現実体験に関連し得る音声をユーザに提供するために利用され得るもの等のスピーカと、ユーザにローカルである音声を捕捉するために利用され得るマイクロホンとを特色としてもよい。
【００６９】
ユーザの眼（２０）の中への光（３８）の投影に関して、一実施形態では、ミニカメラ（２４）は、一般に、眼（２０）の焦点の位置、つまり「焦点深度」と一致する、ユーザの眼（２０）の中心が幾何学的に接した場所を測定するために利用されてもよい。眼が接する全ての点の３次元表面は、「ホロプター」と呼ばれる。焦点距離は、有限数の深度を呈してもよく、または無限に変化してもよい。輻輳距離から投影される光が、対象の眼（２０）に焦点を合わせられるように見える一方で、輻輳距離の前または後ろの光は、ぼやけている。さらに、眼が焦点を合わせる場所にかかわらず、約０．７ミリメートル未満のビーム直径を有する空間的コヒーレント光が、人間の眼によって正しく分解されることが発見されている。この理解を考慮して、適正な焦点深度の幻影を作成するために、眼の輻輳が、ミニカメラ（２４）を用いて追跡されてもよく、レンダリングエンジン（３４）および投影サブシステム（１８）が、焦点の合ったホロプター上またはその近くの全てのオブジェクト、および種々の程度に焦点がずれた（すなわち、意図的に作成されたぼやけを使用した）全ての他のオブジェクトをレンダリングするために使用されてもよい。眼の中へコヒーレント光を投影するように構成された透視光誘導光学要素が、Ｌｕｍｕｓ，Ｉｎｃ．等の供給業者によって提供されてもよい。好ましくは、システム（１４）は、毎秒約６０フレームまたはそれより大きいフレームレートでユーザにレンダリングする。上記で説明されるように、好ましくは、ミニカメラ（２４）は、視標追跡に利用されてもよく、ソフトウェアは、輻輳幾何学形状だけでなく、ユーザ入力としての機能を果たす焦点位置の手掛かりも取り上げるように構成されてもよい。好ましくは、そのようなシステムは、日中または夜間の使用に好適な輝度およびコントラストで構成される。一実施形態では、そのようなシステムは、好ましくは、視覚オブジェクト整合のための約２０ミリ秒未満の待ち時間、約０．１度未満の角度整合、およびほぼ人間の眼の限界である約１分の解像度を有する。表示システム（１４）は、位置および姿勢決定を支援するように、ＧＰＳ要素、光学追跡、コンパス、加速度計、および／または他のデータソースを含み得る、局在化システムと統合されてもよく、局在化情報は、ユーザの関連世界の視野内で正確なレンダリングを促進するために利用されてもよい（すなわち、そのような情報は、現実世界に対してどこにあるかを眼鏡が把握することを促進する）。
【００７０】
他の好適な表示デバイスは、デスクトップおよびモバイルコンピュータ、スマートフォン、３Ｄ遠近視を促進またはシミュレートする付加的なソフトウェアおよびハードウェア特徴を伴って拡張され得るスマートフォン（例えば、一実施形態では、フレームがスマートフォンに取り外し可能に結合されてもよく、フレームは、図１４で特色とされる構成の機能性のうちのいくつかをシミュレートするように、２００Ｈｚジャイロおよび加速度計センササブセット、広視野レンズを有する２つの小型マシンビジョンカメラ、およびＡＲＭプロセッサを特色とする）、タブレットコンピュータ、スマートフォンについて上記で説明されるように拡張され得るタブレットコンピュータ、付加的な処理および感知ハードウェアによって拡張されたタブレットコンピュータ、拡張視点および仮想視点を表示するためにスマートフォンおよび／またはタブレットを使用する頭部装着型システム（拡大オプティクス、鏡、コンタクトレンズ、または光構造化要素を介した視覚順応）、発光要素（ＬＣＤ、ＯＬＥＤ、垂直共振器面発光レーザ、導かれたレーザビーム等）の非透視ディスプレイ、人間が自然な世界および人工的に生成された画像を見ることを同時に可能にする透視ディスプレイ（例えば、光誘導光学要素、接近焦点コンタクトレンズの中へ射し込む透明および偏光ＯＬＥＤ、導かれたレーザビーム等）、発光要素を伴うコンタクトレンズ（Ｉｏｐｔｉｋ  ＲＴＭという商品名の下でＩｎｎｏｖｅｇａ，Ｉｎｃ（Ｂｅｌｌｅｖｕｅ，ＷＡ）から入手可能なもの等、それらは、特殊な相補的眼鏡構成要素と組み合わせられてもよい）、発光要素を有する埋込型デバイス、および人間の脳の光受容体をシミュレートする埋込型デバイスを含むが、それらに限定されない。
【００７１】
図３および図１４で描写されるもの等のシステムを用いると、３Ｄ点が環境から捕捉され得、これらの画像または点を捕捉するカメラの姿勢（すなわち、世界に対するベクトルおよび／または原点位置情報）が決定され得、それにより、これらの点または画像は、この姿勢情報と「タグ付け」されるか、または関連付けられてもよい。次いで、第２のカメラによって捕捉された点は、第２のカメラの姿勢を決定するために利用されてもよい。換言すれば、第１のカメラからのタグ付けされた画像との比較に基づいて、第２のカメラを配向し、および／または限局することができる。次いで、この知識は、（位置合わせされる２つのカメラが周囲にあるため）テクスチャを抽出し、マップを作製し、現実世界の仮想コピーを作成するために利用されてもよい。よって、基礎レベルで、一実施形態では、３Ｄ点および点を生成した２Ｄ画像の両方を捕捉するために利用され得る個人装着システムを有し、これらの点および画像は、クラウド記憶および処理リソースに送り出されてもよい。それらはまた、組み込まれた姿勢情報とともにローカルにキャッシュ格納されてもよく（すなわち、タグ付けされた画像をキャッシュ格納する）、よって、クラウドは、３Ｄ点とともに、準備ができている（すなわち、利用可能なキャッシュ内にある）タグ付けされた（すなわち、３Ｄ姿勢とタグ付けされた）２Ｄ画像を有してもよい。ユーザが動的なものを観察している場合、ユーザは、運動に関連するクラウドまで付加的な情報を送信してもよい（例えば、別の個人の顔を見る場合、ユーザは、顔のテクスチャマップを取り、たとえ周辺世界が他の点では基本的に静的であっても、それを最適化された周波数まで押し上げることができる）。
【００７２】
クラウドシステムは、姿勢のみの基準としていくつかの点を保存し、全体的な姿勢追跡計算を低減させるように構成されてもよい。概して、ユーザが部屋を動き回る場合に、壁、テーブル等のユーザの環境内の主要なアイテムを追跡することが可能であるように、いくつかの輪郭特徴を有することが望ましくあり得、ユーザは、世界を「共有」し、その部屋の中へ他のユーザを入らせ、また、これらの点を見せることを希望し得る。そのような有用かつ主要な点は、アンカリング点として極めて有用であるため、「基準」として称され得る。それらは、マシンビジョンで認識され得、かつユーザハードウェアの異なる部品上で世界から一貫して繰り返し抽出され得る特徴に関係する。したがって、これらの基準は、好ましくは、さらなる使用のためにクラウドに保存されてもよい。
【００７３】
一実施形態では、基準は、カメラが位置を認識するために容易に使用することができる種類のアイテムあるため、関連世界の全体を通じて、基準の比較的均等な分布を有することが好ましい。
【００７４】
一実施形態では、関連クラウドコンピューティング構成は、基準の精緻化および世界の作成の両方のために、種々のユーザからの最良データを使用するように、３Ｄ点のデータベースおよび任意の関連メタデータを周期的に整えるように、構成されてもよい。言い換えれば、本システムは、関連世界を見てその中で機能する種々のユーザからの入力を使用することによって、最良データセットを得るように構成されてもよい。一実施形態では、データベースは、本質的にフラクタルであり、ユーザがオブジェクトに近づくにつれて、クラウドは、より高い解像度の情報をそのようなユーザに渡す。ユーザがより厳密にオブジェクトをマッピングすると、そのデータがクラウドに送信され、クラウドは、新しい３Ｄ点および画像ベースのテクスチャマップがデータベースに以前に記憶されたものよりも良好であれば、新しい３Ｄ点および画像ベースのテクスチャマップをデータベースに追加することができる。この全ては、多くのユーザから同時に起こるように構成されてもよい。
【００７５】
上記で説明されるように、拡張現実または仮想現実体験は、特定の種類のオブジェクトを認識することに基づいてもよい。例えば、特定のオブジェクトを認識および理解するために、そのようなオブジェクトが深度を有すると理解することが重要であり得る。認識装置ソフトウェアオブジェクト（「認識装置」）は、ユーザが世界内でデータをナビゲートする場合に、いずれか一方または両方のプラットフォーム上の種々のオブジェクトの認識を特異的に支援するように、クラウドまたはローカルリソース上に展開されてもよい。例えば、システムが、３Ｄ点クラウドおよび姿勢タグ付け画像を備える世界モデルのデータを有し、上に多数の点を有する机、ならびに机の画像がある場合、人間が机を把握している場合、観察されているものが実際に机であるという決定がないことがある。言い換えれば、空間内のいくつかの３Ｄ点、および机の大部分を示す空間内のどこかからの画像は、机が観察されていると瞬時に認識するために十分ではない場合がある。この識別を支援するために、未加工３Ｄ点クラウドの中へ入り、一式の点をセグメント化し、例えば、机の上面の平面を抽出する特定のオブジェクト認識装置が作成されてもよい。同様に、ユーザが仮想現実または拡張現実において壁紙を変更するか、または壁の一部を除去し、現実世界では実際にそこにない別の部屋への入口を有することができるように、３Ｄ点から壁をセグメント化するように認識装置が作成されてもよい。そのような認識装置は、世界モデルのデータ内で動作し、世界モデルをクローリングし、そのような認識装置は、ソフトウェア「ロボット」と考えられ得、そのソフトウェア「ロボット」は、その世界モデルに意味情報、または空間内の点の間に存在すると考えられるものに関するオントロジーを植え付ける。そのような認識装置またはソフトウェアロボットは、それらの存在全体が、関連世界のデータを巡回すること、および壁、または椅子、あるいは他のアイテムであると考えられるものを見つけることに関するように構成されてもよい。それらは、「この一式の点が壁に属する」という機能的対等性で一式の点をタグ付けするように構成されてもよく、点の中にあるものに関してシステムに手動で知らせるために、点ベースのアルゴリズムおよび姿勢タグ付け画像分析の組み合わせを備えてもよい。
【００７６】
オブジェクト認識装置は、視点に応じて、様々な有用性の多くの目的で作成されてもよい。例えば、一実施形態では、Ｓｔａｒｂｕｃｋｓ等のコーヒー専門店が、データの関連世界内でＳｔａｒｂｕｃｋｓのコーヒーカップの正確な認識装置を作成することに投資してもよい。そのような認識装置は、大小のデータの世界をクローリングし、Ｓｔａｒｂｕｃｋｓのコーヒーカップを検索するように構成され、それによって、Ｓｔａｒｂｕｃｋｓのコーヒーカップはセグメント化され、関連近傍空間内で動作するときに（すなわち、おそらく、ユーザが特定の期間にわたってＳｔａｒｂｕｃｋｓのコーヒーカップを見たときに、すぐ近くのＳｔａｒｂｕｃｋｓ販売店でユーザにコーヒーを提供するように）ユーザに識別されてもよい。カップがセグメント化されると、ユーザがそれを自分の机の上に移動させたときに迅速に認識されてもよい。そのような認識装置は、利用可能な計算リソースに応じて、クラウドコンピューティングリソースおよびデータ上だけでなく、ローカルリソースおよびデータ上、またはクラウドおよびローカルの両方で、作動または動作するように構成されてもよい。一実施形態では、何百万人ものユーザがグローバルモデルに寄与しているクラウド上の世界モデルのグローバルコピーがあるが、特定の町の特定の個人のオフィスのようなより小さい世界または下位世界については、グローバル世界の大部分が、そのオフィスがどのような外観であるかを気にしないため、本システムは、データを整え、所与のユーザに最もローカルに関連すると考えられるローカルキャッシュ情報に移動するように構成されてもよい。一実施形態では、例えば、ユーザが机に歩み寄るときに、しばしば移動するものとして識別されるオブジェクト（例えば、机の上のカップ）が、クラウドモデルに負荷を負わせ、クラウドとローカルリソースとの間で伝送負荷を負わせる必要がないため、関連情報（机の上の特定のカップのセグメント等）は、クラウドではなく、ローカルコンピューティングリソースのみの上に存在するように構成されてもよい。したがって、クラウドコンピューティングリソースは、３Ｄ点および画像をセグメント化し、したがって、移動可能なものから永久的（すなわち、概して、移動していない）オブジェクトを分解するように構成されてもよく、これは、関連データが残存する場所、それが処理される場所に影響を及ぼし、より永久的なオブジェクトに関連する特定のデータについて、装着型／ローカルシステムから処理負担を除去し、次いで、無限の他のユーザと共有され得る位置の一回限りの処理を可能にし、複数のデータ源が特定の物理的位置における固定オブジェクトおよび可動オブジェクトのデータベースを同時に構築することを可能にし、オブジェクト特有の基準およびテクスチャマップを作成するように背景からオブジェクトをセグメント化してもよい。
【００７７】
一実施形態では、ユーザが本システムを仕立て、本システムが意味情報を現実世界内のオブジェクトと関連付けることを可能にし得るように、本システムは、特定のオブジェクトの識別に関する入力についてユーザに問い合わせを行うように構成されてもよい（例えば、本システムは、「それはＳｔａｒｂｕｃｋｓのコーヒーカップですか？」等の質問をユーザに提示してもよい）。オントロジーは、世界からセグメント化されたオブジェクトが何を行うことができるか、それらがどのようにして挙動するか等に関する指針を提供してもよい。一実施形態では、本システムは、本システムへの特定のユーザ入力を促進するように、無線接続されたキーパッド、スマートフォンのキーパッドへの接続性、または同様のもののような仮想キーパッドまたは実際のキーパッドを特色としてもよい。
【００７８】
本システムは、基本要素（壁、窓、机の幾何学形状等）を、仮想現実または拡張現実において部屋に入る任意のユーザと共有するように構成されてもよく、一実施形態では、その個人のシステムは、特定の視点から画像を撮影し、それらをクラウドにアップロードするように構成される。次いで、クラウドは、古い一式のデータおよび新しい一式のデータと合わせられ、最適化ルーチンを作動させ、個々のオブジェクト上に存在する基準を確立することができる。
【００７９】
ＧＰＳおよび他の局在化情報が、そのような処理への入力として利用されてもよい。さらに、個人のオンラインカレンダーまたはＦａｃｅＢｏｏｋアカウント情報等の他のコンピューティングシステムおよびデータが、入力として利用されてもよい（例えば、一実施形態では、経時的に、所与の目的地におけるユーザの到着時間に対して準備ができるよう、情報がクラウドからユーザのローカルシステムに移動させられ得るように、クラウドおよび／またはローカルシステムは、航空券、日付、および目的地についてユーザのカレンダーの内容を分析するように構成されてもよい）。
【００８０】
一実施形態では、非統計的姿勢計算、セキュリティ／アクセス制御、特別な情報の伝達、空間的メッセージング、非統計的オブジェクト認識等とともに使用するために、ＱＲコード（登録商標）および同様のもののようなタグが、世界に挿入されてもよい。
【００８１】
一実施形態では、クラウドリソースは、「渡すことが可能な世界」を参照して上記で説明されたように、ユーザ間で現実世界および仮想世界のデジタルモデルを渡すように構成されてもよく、モデルは、パラメータおよびテクスチャに基づいて個々のユーザによってレンダリングされる。これは、リアルタイムビデオの通過と比較して帯域幅を縮小し、光景の仮想視点のレンダリングを可能にし、何百万人以上ものユーザのそれぞれに、彼らが見る必要があるデータ（例えば、ビデオ）を送信することなく、何百万人以上ものユーザが１つの仮想集会に参加することを可能にする。なぜなら、彼らの視界は、ローカルコンピューティングリソースによってレンダリングされるからである。
【００８２】
仮想現実システム（「ＶＲＳ」）は、カメラを使用したリアルタイムメトリックコンピュータビジョン、同時局在化およびマッピング技法、マップ、ならびにセンサ（例えば、ジャイロ、加速度計、コンパス、気圧計、ＧＰＳ）、無線信号強度三角測量、信号飛行時間分析、ＬＩＤＡＲ測距、ＲＡＤＡＲ測距、走行距離計測法、およびソーナー測距からのデータのうちの１つ以上を通して、ユーザ位置および視野（ともに「姿勢」として知られている）を登録するように構成されてもよい。ウェアラブルデバイスシステムは、同時にマッピングして配向するように構成されてもよい。例えば、未知の環境では、ＶＲＳは、環境に関する情報を収集し、ユーザ姿勢計算に好適な基準点、世界モデリングのための他の点、世界のテクスチャマップを提供するための画像を確認するように構成されてもよい。基準点は、姿勢を光学的に計算するために使用されてもよい。世界がさらに詳細にマッピングされるにつれて、より多くのオブジェクトがセグメント化され、各自のテクスチャマップを与えられてもよいが、世界は依然として好ましくは、低解像度テクスチャマップを用いた単純な多角形で低い空間解像度にて表現可能である。上記で論議されるもの等の他のセンサが、このモデリング努力を支援するために利用されてもよい。世界は、（視点、「監視」モード、ズーミング等を通して）移動すること、または別様により良好な視界を求めることが、クラウドリソースから高い解像度情報を要求するという点で、本質的にフラクタルであり得る。オブジェクトに近づくことにより、より高い解像度のデータを捕捉し、これは、クラウドに送信され得、クラウドは、新しいデータを計算し、かつ／または新しいデータを世界モデル内の間隙部位に挿入し得る。
【００８３】
図１６を参照すると、ウェアラブルシステムは、画像情報を捕捉し、基準および認識された点（５２）を抽出するように構成されてもよい。ウェアラブルローカルシステムは、以下で記述される姿勢計算技法のうちの１つを使用して、姿勢を計算してもよい。クラウド（５４）は、より静的な３Ｄ背景から３Ｄオブジェクトをセグメント化するために画像および基準を使用するように構成されてもよく、画像は、オブジェクトおよび世界のテクスチャマップを提供する（テクスチャはリアルタイムビデオであってもよい）。クラウドリソース（５６）は、世界の位置合わせのために静的な基準およびテクスチャを記憶し、利用可能にするように構成されてもよい。クラウドリソースは、位置合わせのための最適な点密度のために、点群を整えるように構成されてもよい。クラウドリソース（６０）は、オブジェクトの位置合わせおよび操作のためにオブジェクト基準およびテクスチャを記憶し、利用可能にするように構成されてもよく、クラウドは、位置合わせのための最適な密度のために、点群を整えてもよい。クラウドリソースは、オブジェクトのフラクタルソリッドモデルを生成するために全ての有効な点およびテクスチャを使用するように構成されてもよく（６２）、クラウドは、最適な基準密度のために、点群情報を整えてもよい。クラウドリソース（６４）は、セグメント化されたオブジェクトおよび世界の識別に関する仕立てについてユーザに問い合わせるように構成されてもよく、オントロジーデータベースは、オブジェクトおよび世界に実施可能な性質を植え付けるために回答を使用してもよい。
【００８４】
以下の特定の位置合わせおよびマッピングモードは、光学システムまたはカメラシステムから決定される姿勢を表す「Ｏ姿勢」、センサ（すなわち、上記で論議されるように、ＧＰＳ、ジャイロ、コンパス、加速度計等のデータの組み合わせ等）から決定される姿勢を表す「ｓ姿勢」、ならびにクラウドコンピューティングおよびデータ管理リソースを表す「ＭＬＣ」を特色とする。
【００８５】
１．配向：新しい環境の基本マップを作製する
目的：環境がマッピングされていない場合、またはＭＬＣに接続されていない場合に姿勢（同用のもの）を確立する。
・画像から点を抽出し、フレームからフレームへ追跡し、Ｓ姿勢を使用して基準を三角測量する。
・基準がないため、Ｓ姿勢を使用する。
・持続性に基づいて、不良な基準を除外する。
・これは最も基本的なモードである。これは常に低精度の姿勢に作用する。わずかな時間およびいくらかの相対運動により、これはＯ姿勢および／またはマッピングのための最少基準組を確立する。
・姿勢が確実となるとすぐに、このモードから抜け出す。
【００８６】
２．マップおよびＯ姿勢：環境をマップする
目的：高精度の姿勢を確立し、環境をマッピングし、（画像を有する）マップをＭＬＣに提供する。
・成熟世界基準からＯ姿勢を計算する。Ｏ姿勢解決のチェックとして、および計算を加速するためにＳ姿勢を使用する（Ｏ姿勢は非線形勾配検索である）。
・成熟基準は、ＭＬＣに由来するか、またはローカルに決定されるものであってもよい。・画像から点を抽出し、フレームからフレームへ追跡し、Ｏ姿勢を使用して基準を三角測量する。
・持続性に基づいて、不良な基準を除外する。
・ＭＬＣに基準および姿勢タグ付け画像を提供する。
・最後の３つのステップはリアルタイムで起こる必要がない。
【００８７】
３．Ｏ姿勢：姿勢を決定する
目的：最小処理能力を使用して、すでにマッピングされた環境内で高精度の姿勢を確立する。
・ｎにおける姿勢を推定するために、過去のＳ姿勢およびＯ姿勢（ｎ−１、ｎ−２、ｎ−３等）を使用する。
・基準をｎで捕捉される画像に投影するためにｎにおける姿勢を使用し、次いで、投影から画像マスクを作成する。
・マスクされた領域から点を抽出する（画像のマスクされたサブセットのみから点を検索／抽出することによって、処理負荷が大いに低減させられる）。
・抽出された点および成熟世界基準からＯ姿勢を計算する。
・ｎ＋１における姿勢を推定するために、ｎにおけるＳ姿勢およびＯ姿勢を使用する。
・オプション：姿勢タグ付け画像／ビデオをＭＬＣクラウドに提供する。
【００８８】
４．超解像度：超解像度画像および基準を決定する
目的：超解像度画像および基準を作成する。
・超解像度画像を作成するように姿勢タグ付け画像を合成する。
・基準位置推定を増進するために超解像度画像を使用する。
・超解像度基準および画像からＯ姿勢推定を反復する。
・オプション：上記のステップを（リアルタイムで）ウェアラブルデバイスまたは（より良好な世界のために）ＭＬＣ上でループする。
【００８９】
一実施形態では、ＶＬＳシステムは、特定の基礎機能性と、特定の特殊機能性を提供するようにＶＬＳを通して配信され得る「アプリ」またはアプリケーションによって促進される機能性とを有するように構成されてもよい。例えば、以下のアプリが、特殊機能性を提供するように対象ＶＬＳにインストールされてもよい。
【００９０】
絵画調レンダリングアプリ。アーティストは、見ている世界を表す画像変換を作成する。ユーザが、これらの変換を有効にし、したがって、アーティストの眼を「通して」世界を視認する。
【００９１】
卓上モデリングアプリ。ユーザが、テーブルの上に置かれた物理的オブジェクトからオブジェクトを「構築」する。
【００９２】
仮想存在アプリ。ユーザは、他のユーザに空間の仮想モデルを渡し、他のユーザは、それから、仮想アバターを使用して空間を動き回る。
【００９３】
アバター感情アプリ。微妙な声の抑揚、軽微な頭部の動き、体温、心拍数等の測定値が、仮想存在アバターへの微妙な効果を動画化する。人間の状態情報をデジタル化し、それを遠隔アバターに渡すことは、ビデオよりも小さい帯域幅を使用する。加えて、そのようなデータは、感情のある、人間ではないアバターにマッピング可能である。例えば、犬のアバターは、興奮した声の抑揚に基づいて、尾を振ることによって興奮を示すことができる。
【００９４】
効率的なメッシュ型ネットワークが、全てをサーバに返送することとは対照的に、データを移動させるために望ましくあり得る。しかしながら、多くのメッシュネットワークは、位置情報およびトポロジーが良好に特徴付けられていないため、最適とは言えない性能を有する。一実施形態では、本システムは、比較的高い精度で全てのユーザの位置を決定するために利用されてもよく、したがって、メッシュネットワーク構成が、高い性能のために利用されてもよい。
【００９５】
一実施形態では、本システムは、検索に利用されてもよい。拡張現実を用いると、例えば、ユーザは、物理的世界の多くの側面に関係するコンテンツを生成して残す。このコンテンツの大部分はテキストではなく、したがって、典型的な方法によって容易に検索されない。本システムは、検索および参照目的でパーソナルおよびソーシャルネットワークコンテンツを追跡し続けるための設備を提供するように構成されてもよい。
【００９６】
一実施形態では、表示デバイスが連続フレームを通して２Ｄ点を追跡し、次いで、ベクトル値関数をこれらの点の時間発展に適合する場合、任意時点で（例えば、フレーム間で）、または（先にベクトル値関数を投影することによって）近未来の何らかの点で、ベクトル値関数をサンプリングすることが可能である。これは、高解像度後処理の作成、および次の画像が実際に捕捉される前に将来の姿勢の予測を可能にする（例えば、カメラフレームレートを２倍にすることなく、位置合わせ速度を２倍にすることが可能である）。
【００９７】
（頭部固定または世界固定のレンダリングとは対照的に）身体固定のレンダリングについては、身体の正確な表示が望ましい。一実施形態では、身体を測定するのではなく、ユーザの頭部の平均位置を通して、その場所を導出することが可能である。ユーザの顔がほとんどの時間に前方を向く場合、頭部位置の複数日平均が、その方向を明らかにする。重力ベクトルと併せて、これは、身体固定のレンダリングのための合理的に安定した座標系を提供する。この長期座標系に対する頭部位置の現在の尺度を使用することにより、余分な器具類を用いることなく、ユーザの身体の上／周囲のオブジェクトの一貫したレンダリングを可能にする。この実施形態の実装のために、頭部方向ベクトルの単一登録平均が開始されてもよく、デルタｔによって分割されるデータの累計が、現在の平均頭部位置を与える。ｎ−５日に始まった、ｎ−４日、ｎ−３日、ｎ−２日、ｎ−１日の、およそ５つの登録を保つことにより、過去の「ｎ」日だけのローリング平均の使用を可能にする。
【００９８】
一実施形態では、光景が縮小され、実際よりも小さい空間内でユーザに提示されてもよい。例えば、巨大な空間（すなわち、サッカースタジアム等）でレンダリングされなければならない光景がある状況では、同等の巨大な空間が存在しない場合があり、またはそのような広い空間がユーザにとって不便であり得る。一実施形態では、本システムは、ユーザが縮小した光景を観察し得るように、光景の規模を縮小するように構成されてもよい。例えば、個人が、神の視点からのビデオゲーム、または世界チャンピオンシップサッカーの試合を、縮尺されていない競技場、または縮尺されてリビングルームの床に提示される競技場で再生させることができる。本システムは、視点、規模、および関連適応距離を単純にシフトするように構成されてもよい。
【００９９】
本システムはまた、仮想現実または拡張現実オブジェクトの焦点を操作することによって、それらを強調表示することによって、コントラスト、輝度、規模等を変更することによって、提示される光景内の特定のアイテムへユーザの注意を引くように構成されてもよい。
【０１００】
好ましくは、本システムは、以下のモードを達成するように構成されてもよい。
【０１０１】
開放空間レンダリング：
・構造化環境から主要点を捉え、次いで、ＭＬレンダリングを用いて間の空間を充填する。
・潜在的な会場：ステージ、出力空間、広い屋内空間（スタジアム）。
【０１０２】
オブジェクトラッピング：
・現実世界における３Ｄオブジェクトを認識し、次いで、それらを拡張する。
・ここでの「認識」は、画像を結び付ける十分に高い精度で３Ｄブロブを識別することを意味する。
・２種類の認識がある。１）オブジェクトの種類（例えば、「顔」）を分類すること、２）オブジェクトの特定のインスタンス（例えば、Ｊｏｅ、個人）を分類すること。
・壁、天井、床、顔、道路、空、超高層ビル、ランチハウス、テーブル、椅子、車、道路標識、看板、ドア、窓、本棚等の種々のものについて、認識装置ソフトウェアオブジェクトを構築する。
・いくつかの認識装置は、Ｉ型であり、例えば、「私のビデオをその壁に置いてください」、「あれは犬です」等の一般機能性を有する。
・他の認識装置は、ＩＩ型であり、例えば、「私のＴＶは天井から３．２フィート離れたリビングルームの壁にある」、「あれはＦｉｄｏです」等、特定機能性を有する（これは一般認識装置のより有能なバージョンである）。
・ソフトウェアオブジェクトとして認識装置を構築することにより、機能性の定量解放、および体験のよりきめ細かい制御を可能にする。
【０１０３】
身体を中心としたレンダリング
・ユーザ身体に固定された仮想オブジェクトをレンダリングする。
・デジタルツールベルト等のいくつかのものがユーザの身体の周囲を浮遊するはずである。
・これは、頭部だけでなく、身体がどこにあるかを把握することを必要とする。ユーザの頭部位置（頭部は通常、地面と平行に前方を向く）の長期平均をとることによって、合理的に正確なしたい位置を取得してもよい。
・簡単な例は、頭部の周囲を浮遊するオブジェクトである。
【０１０４】
透明性／破断図
・ＩＩ型認識オブジェクトについては、破断図を示す。
・ＩＩ型認識オブジェクトを３Ｄモデルのオンラインデータベースにリンクする。
・車および公共設備等の一般的に利用可能な３Ｄモデルを有するオブジェクトから開始するはずである。
【０１０５】
仮想存在
・遠隔の人々のアバターを開放空間の中へ描く。
○「解放空間レンダリング」（上記）のサブセット。
○ユーザがローカル環境の大まかな幾何学形状を作成し、幾何学形状およびテクスチャマップの両方を他者に反復して送信する。
○ユーザは、他者が自分の環境に入るための許可を与えなければならない。
○微妙な声のキュー、手の追跡、および頭部運動が遠隔アバターに送信される。アバターは、これらのファジー入力から動画化される。
○上記が帯域幅を最小限化する。
・壁に別の部屋への「入口」を作製する
○他の方法と同様に、幾何学形状およびテクスチャマップを渡す。
○ローカルの部屋の中でアバターを示す代わりに、認識されたオブジェクト（例えば、壁）を他者の環境への入口として指定する。このようにして、複数の人々が各自の部屋の中に座り、壁を「通して」他者の環境を見ることができる。
【０１０６】
仮想視点
・一群のカメラ（人々）が異なる視点から光景を視認するときに、領域の高密度デジタルモデルが作成される。この豊富なデジタルモデルは、少なくとも１つのカメラが見ることができる、任意の有利な点からレンダリング可能である。
・例。結婚式での人々。光景が全ての出席者によって合同でモデル化される。認識装置が移動オブジェクトとは別に静止オブジェクトを区別し、テクスチャマップ作製する（例えば、壁は安定したテクスチャマップを有し、人々はより高い周波数の移動テクスチャマップを有する）。
・豊富なデジタルモデルがリアルタイムで更新されると、光景は任意の視点からレンダリング可能である。後方の出席者は、より良い視界のために前列まで空中を飛ぶことができる。
・出席者は、自分の移動するアバターを示すか、または自分の視点を隠すことができる。・敷地外の出席者は、自分のアバターを用いて、または主催者が許可すれば不可視的に、「席」を見つけることができる。
・極めて高い帯域幅を必要とする可能性が高い。概念上、高周波数データが、高速ローカル無線上で群集にストリーム配信される。低周波数データはＭＬＣに由来する。
・全ての出席者が高精度位置情報を有するため、ローカルネットワーキングのための最適なルーティング経路を作製することは自明である。
【０１０７】
メッセージング
・単純な無音メッセージングが望ましくあり得る。
・この用途および他の用途のために、指コーディングキーボードを有することが望ましくあり得る。
・触知グラブ解決策が増進した性能を提供してもよい。
【０１０８】
完全仮想現実（ＶＲ）：
・ビジョンシステムが暗くなると、現実世界に重なり合わない視界を示す。
・位置合わせシステムが、依然として頭部位置を追跡するために必要である。
・「カウチモード」は、ユーザが飛ぶことを可能にする。
・ユーザが現実世界と衝突しないように、「歩行モード」が現実世界でのオブジェクトを仮想のものとして再レンダリングする。
・身体部分をレンダリングすることは、虚構を信じることに不可欠である。これは、視野内の身体部分を追跡してレンダリングするための方法を有することを示唆する。
・非透視バイザは、直接オーバーレイで可能ではない多くの画像品質向上利点を有するＶＲの形態である。
・おそらく、後方を見る能力さえもある、広い視野。
・種々の形態の「超視界」：望遠鏡、透視、赤外線、神の視点等。
【０１０９】
一実施形態では、仮想ユーザ体験および／または拡張ユーザ体験のためのシステムは、関連ソフトウェアモジュールによって行われるような声の抑揚分析および顔認識分析等のソースからの入力を有するウェアラブルデバイス上のデータに少なくとも部分的に基づいて、ユーザと関連付けられた遠隔アバターが動画化され得るように、構成される。例えば、再び図１２を参照すると、ハチのアバター（２）は、ユーザの顔の笑顔の顔認識に基づいて、またはユーザからローカルに音声サンプルを捕捉し得るマイクロホンへの音声入力を分析するように構成されたソフトウェアによって決定されるような、親しみやすい声の調子あるいは口調に基づいて、親しみやすく笑うように動画化されてもよい。さらに、アバターキャラクタは、アバターが特定の感情を表現するであろう様式で動画化されてもよい。例えば、アバターが犬である実施形態では、人間のユーザにローカルであるシステムによって検出される幸せそうな笑顔または口調は、犬のアバターが尾を振ることとしてアバターで表現されてもよい。
【０１１０】
本発明の種々の例示的実施形態が、本明細書で説明される。非限定的な意味で、これらの実施例が参照される。それらは、本発明のより広くて利用可能な側面を例証するように提供される。種々の変更が、説明される本発明に行われてもよく、本発明の真の精神および範囲から逸脱することなく、同様のものが置換されてもよい。加えて、特定の状況、材料、物質組成、プロセス、プロセス行為、またはステップを本発明の目的、精神、または範囲に適合させるように、多くの修正が行われてもよい。さらに、当業者によって理解されるように、本明細書で説明および例証される個々の変形例のそれぞれは、本発明の範囲からも精神からも逸脱することなく、他のいくつかの実施形態のうちのいずれかの特徴から容易に分離され、またはそれらと組み合わせられ得る、別個の構成要素および特徴を有する。全てのそのような修正は、本開示と関連付けられる特許請求の範囲内にあることを意図としている。
【０１１１】
本発明は、対象デバイスを使用して行われ得る方法を含む。本方法は、そのような好適なデバイスを提供するという行為を含んでもよい。そのような提供は、エンドユーザによって行われてもよい。換言すれば、「提供する」行為は、エンドユーザが、対象方法において必須デバイスを提供するように、取得し、アクセスし、接近し、位置決めし、設定し、起動し、電源を入れ、または別様に作用することを、単に要求する。本明細書で記載される方法は、事象の記載された順番のみならず、論理的に可能である記載された事象の任意の順番で実行されてもよい。
【０１１２】
本発明の例示的側面が、材料選択および製造に関する詳細とともに、上記で記載されている。本発明の他の詳細に関しては、これらは、上記で参照された特許および刊行物と関連して理解されるとともに、概して、当業者によって公知であり、または理解され得る。一般的または論理的に採用されるような付加的な行為の観点から、本発明の方法ベースの側面に関して、同じことが当てはまり得る。
【０１１３】
加えて、本発明は、種々の特徴を必要に応じて組み込むいくつかの実施例を参照して説明されているが、本発明は、本発明の各変形例に関して想定されるように、説明および指示されるものに限定されるものではない。種々の変更が、説明された本発明に行われてもよく、本発明の真の精神および範囲から逸脱することなく、同等物が（本明細書に記載されようと、いくらか簡単にするために含まれていなかろうと）置換されてもよい。加えて、値の範囲が提供される場合、その範囲の上限と下限との間の全ての介在値、およびその規定範囲内の任意の他の規定値または介在値が、本発明内に包含されることを理解されたい。
【０１１４】
また、説明される本発明の変形例の任意の必要に応じた特徴が、独立して、または本明細書で説明される特徴のうちのいずれか１つ以上と組み合わせて、記載および請求されてもよいことが想定される。単数形のアイテムへの参照は、複数の同一のアイテムが存在するという可能性を含む。より具体的には、本明細書で、および本明細書に関連付けられる特許請求の範囲で使用される場合、「１つの」（「ａ」、「ａｎ」）、「前記（ｓａｉｄ）」、および該（「ｔｈｅ」）という単数形は、特に規定がない限り、複数形の指示対象を含む。換言すれば、冠詞の使用は、上記の説明ならびに本開示と関連付けられる特許請求の範囲において、対象アイテムの「少なくとも１つ」を可能にする。さらに、そのような特許請求の範囲は、任意の随意的な要素を除外するように起草され得ることに留意されたい。したがって、この記述は、特許請求の範囲の要素の記載と関連して、「単に」、「のみ」、および同様のもののような排他的用語の使用、または「否定的」制限の使用のために、先行詞としての機能を果たすことを目的としている。
【０１１５】
そのような排他的用語を使用することなく、本開示と関連付けられる特許請求の範囲における「備える」という用語は、所与の数の要素がそのような請求項で列挙されるか、または特徴の追加をそのような請求項に記載される要素の性質の変換として見なすことができるかにかかわらず、任意の付加的な要素を含むことを可能にするものとする。本明細書で具体的に定義される場合を除いて、本明細書で使用される全ての技術および化学用語は、特許請求の範囲の有効性を維持しながら、可能な限り広い一般的に理解されている意味を与えられるものである。
【０１１６】
本発明の幅は、提供される実施例および／または対象の明細書に限定されるものではなく、むしろ、本開示と関連付けられる特許請求の範囲の言葉の範囲のみによって限定されるものである。
【図１】
2018129085.tif 000003
【図２】
2018129085.tif 000004
【図３】
2018129085.tif 000005
【図４】
2018129085.tif 000006
【図５】
2018129085.tif 000007
【図６】
2018129085.tif 000008
【図７】
2018129085.tif 000009
【図８】
2018129085.tif 000010
【図９Ａ】
2018129085.tif 000011
【図９Ｂ】
2018129085.tif 000012
【図１０】
2018129085.tif 000013
【図１１】
2018129085.tif 000014
【図１２】
2018129085.tif 000015
【図１３】
2018129085.tif 000016
【図１４】
2018129085.tif 000017
【図１５】
2018129085.tif 000018
【図１６】
2018129085.tif 000019
【外国語明細書】
2018129085000001.pdf